(57)【要約】（ａ）少なくとも１種の洗濯ケア成分と、（ｂ）ロイコ組成物と、を含む、洗濯ケア組成物。ロイコ組成物は第１の色状態及び第２の色状態を有し、かつ第２の色状態の第１の色状態に対するモル比は２：９８〜５：９５である。また、（ａ）少なくとも１種の洗濯ケア成分とロイコ組成物とを含む洗濯ケア組成物を提供する工程と、（ｂ）固有の機能劣化に対応する複数の別個の色を含む機能劣化スケールを提供する工程と、（ｃ）洗濯ケア組成物の色を機能劣化スケールと比較する工程と、を含む、洗濯ケア組成物のおおよその機能劣化を判定する方法が開示される。【特許請求の範囲】
【請求項１】
（ａ）少なくとも１種の洗濯ケア成分と、（ｂ）ロイコ組成物と、を含む洗濯ケア組成物であって、前記ロイコ組成物は第１の色状態及び第２の色状態を有し、かつ第２の色状態の第１の色状態に対するモル比は２：９８〜５：９５である、洗濯ケア組成物。
【請求項２】
抗酸化剤を更に含む、請求項１に記載の洗濯ケア組成物。
【請求項３】
前記抗酸化剤が、ヒンダードフェノールである、請求項１又は２に記載の洗濯ケア組成物。
【請求項４】
前記ロイコ組成物が、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択される、請求項１〜３のいずれか一項に記載の洗濯ケア組成物。
【請求項５】
前記ロイコ組成物が、
【化１】
2020534419.tif 000017
（ｆ）これらの混合物
からなる群から選択される１つ以上の化合物から選択され、
環Ａ、Ｂ、及びＣのそれぞれにおける各個々のＲｏ、Ｒｍ及びＲｐ基は、独立して、水素、重水素、及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、前記添字ｎは、０〜４、好ましくは０〜１、最も好ましくは０の整数であり、前記３つの環Ａ、Ｂ、又はＣの少なくとも１つにおける前記Ｒｏ及びＲｍ基の少なくとも１つは、水素であり、各Ｒｐは、独立して、水素、−ＯＲ１及び−ＮＲ１Ｒ２から選択され、
Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、及びホスフィンオキシドからなる群から選択され、
同じヘテロ原子に結合しているＲ１、Ｒ２及びＲ３のいずれか２つが結合して、任意に−Ｏ−、−ＮＲ１５−、及び−Ｓ−からなる群から選択される１つ以上の追加のヘテロ原子を含む５員以上の環を形成してもよく、Ｒ１、Ｒ２、Ｒ３、及びＲ１５は、独立して、水素、アルキル、置換アルキル、アリール、置換アリール、アルカリール、置換アルカリール、及びＲ４からなる群から選択され、Ｒ４は、１つ以上の有機モノマーで構成される有機基であり、前記モノマーの分子量が２８〜５００の範囲であり、
ｅ及びｆは、独立して、０〜４の整数であり、
各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、
各Ｒ２５は、独立して、単糖部分、二糖部分、オリゴ糖部分、多糖部分、−Ｃ（Ｏ）Ｒ１、−Ｃ（Ｏ）ＯＲ１、−Ｃ（Ｏ）ＮＲ１Ｒ２からなる群から選択され、
各Ｒ２２及びＲ２３は、独立して、水素、アルキル基、及び置換アルキル基からなる群から選択され、
Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、
Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、
ｇ及びｈは、独立して、０〜４の整数であり、
各Ｒ３１及びＲ３２は、独立して、アルキル基、置換アルキル基、アリール基、置換アリール基、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、前記添字ｎは、０〜４、好ましくは０〜１、最も好ましくは０の整数であり、
−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、
Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４であるとき、任意の２つの隣接するＲ３１基が結合して、５員以上の縮合環を形成してもよく、前記縮合環における原子の２つ以下が窒素原子であってもよく、
Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、
Ｒ４０及びＲ４１は、独立して、−ＯＲ１及び−ＮＲ１Ｒ２からなる群から選択され、
ｊ及びｋは、独立して、０〜３の整数であり、
Ｒ４２及びＲ４３は、独立して、アルキル、置換アルキル、アリール、置換アリール、アルカリール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−ＯＲ１、−ＮＲ１Ｒ２からなる群から選択され、
Ｒ４４は、−Ｃ（Ｏ）Ｒ１、−Ｃ（Ｏ）ＮＲ１Ｒ２、及び−Ｃ（Ｏ）ＯＲ１であり、
前記化合物のいずれかに存在する任意の電荷が、好適な独立して選択される内部又は外部対イオンで平衡化される、請求項１〜４のいずれか一項に記載の洗濯ケア組成物。
【請求項６】
前記縮合環が６員以上であり、異なるＡ、Ｂ、及びＣ環の２つのＲｏ基が結合して、１つ以上のへテロ原子を含有する有機リンカーを形成する、請求項５に記載の洗濯ケア組成物。
【請求項７】
３つの環Ａ、Ｂ又はＣの全てにおける前記Ｒｏ及びＲｍ基の全てが、水素である、請求項５又は６に記載の洗濯ケア組成物。
【請求項８】
３つのＲｐ全てが−ＮＲ１Ｒ２である、請求項５〜７のいずれか一項に記載の洗濯ケア組成物。
【請求項９】
前記有機基が、式Ｉの構造に一致する１つ以上の追加のロイコ着色剤部分で置換され得る、請求項５〜８のいずれか一項に記載の洗濯ケア組成物。
【請求項１０】
Ｒ４が、アルキレンオキシ、オキソアルキレンオキシ、オキソアルキレンアミン、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される、請求項５〜９のいずれか一項に記載の洗濯ケア組成物。
【請求項１１】
前記好適な独立して選択される外部対イオンが、Ｎａ、Ｋ、Ｍｇ、Ｃａ、イミニウム、アンモニウム、ホスホニウム、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレンビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホネートからなる群から選択される、請求項５〜１０のいずれか一項に記載の洗濯ケア組成物。
【請求項１２】
前記洗濯ケア成分が、界面活性剤、ビルダー、キレート剤、移染防止剤、分散剤、酵素、酵素安定剤、触媒材料、漂白活性剤、ポリマー分散剤、泥汚れ除去剤、再付着防止剤、増白剤、抑泡剤、染料、香料、香料送達系、構造化剤、布地柔軟剤、キャリア、ヒドロトロープ、加工助剤、顔料、抗酸化剤、及びこれらの混合物からなる群から選択される、請求項１〜１１のいずれか一項に記載の洗濯ケア組成物。
【請求項１３】
織物物品を処理する方法であって、（ａ）請求項１〜１２のいずれか一項に記載の洗濯ケア組成物を提供する工程と、（ｂ）前記洗濯ケア組成物を液体媒体に添加する工程と、（ｃ）織物物品を前記液体媒体中に配置する工程と、（ｄ）任意に、前記織物をすすぐ工程と、（ｅ）前記織物物品を乾燥させる工程と、を含む、方法。
【請求項１４】
洗濯ケア組成物のおおよその機能劣化（functional age）を判定する方法であって、
（ａ）請求項１〜１２のいずれか一項に記載の洗濯ケア組成物を提供する工程と、
（ｂ）複数の異なる色を含む機能劣化スケールを提供する工程であって、それぞれの別個の色が固有の機能劣化に対応する、機能劣化スケールを提供する工程と、
（ｃ）前記洗濯ケア組成物の前記色を前記機能劣化スケールと比較する工程と、を含む、方法。
【請求項１５】
パッケージを提供する工程を更に含み、前記機能劣化スケールが前記パッケージ上に提供される、請求項１４に記載の洗濯ケア組成物のおおよその機能劣化を判定する方法。
【発明の詳細な説明】
【技術分野】
【０００１】
本出願は、ロイコ着色剤を含有する洗濯ケア組成物、及び織物物品の洗濯におけるその使用について記載する。これらの種類の着色剤は、安定した実質的に無色の状態で提供され、次いで、例えば、酸素への曝露、イオン添加、光への曝露などの特定の物理的又は化学的な変化に曝露されると、濃い有色状態に変換され得る。本出願は更に、ロイコ組成物を含む洗濯ケア組成物のおおよその機能劣化を判定する方法に関する。
【背景技術】
【０００２】
染色されていない又は透明な洗濯ケア組成物の劣化としては、例えば、光への曝露、熱、パッケージを通過した空気、組成物成分の自然分解、又は配合された成分に関係する反応などの数多くの原因のいずれかによって、より黄色になり得ることが知られている。更に、洗濯組成物が全て劣化すると、特定の成分が劣化により分解して効力を失い得るため、組成物の有効性が低下する傾向がある。品目の使用期限に慣れた消費者は、全ての製剤が、期待されたとおりに機能するいくらかの限られた時間を有し、その後、製品の有効性はある程度減少することが予想されることを理解するであろう。しかしながら、消費者が所有する製品が製品寿命のどこにあるかを評価することができる手段を提供する製品は、まれである。
【０００３】
布地基材は、劣化すると、光、空気、汚れへの暴露、及び基材に含まれる繊維の自然分解により、色あせ又は黄変する傾向があることもまた、知られている。したがって、これら織物基材を視覚的に改良し、色あせ及び黄変を相殺するために、消費者製品を着色するためのポリマー着色剤の使用が従来技術において周知となっている。例えば、織物用途においては、光学増白剤又は青味剤のいずれかの白化剤を使用することが周知である。しかしながら、従来の青味剤の青又は紫色の色相のために、配合者は、経時的な色変化をほとんど示さない濃青色の洗濯ケア組成物において従来の青味剤を使用するように制約されてきた。
【０００４】
また、ロイコ染料は、特定の化学的又は物理的なトリガに曝露された際に、無色又はわずかに有色の状態から有色の状態への変化を呈することも従来技術において既知である。生じる呈色の変化は、典型的には、人間の目で視覚的に知覚可能である。大半の有機化合物は、可視光領域（４００〜７５０ｎｍ）においていくらかの吸光度を有するので、多かれ少なかれいくらかの色を有する。本明細書で言及されるように、染料は、その適用濃度及び条件ではそれほど発色しなかったが、トリガされた形態では著しく発色する場合、「ロイコ染料」であるとみなされる。トリガされた際の色変化は、４００〜７５０ｎｍの範囲、好ましくは５００〜６５０ｎｍの範囲、最も好ましくは５３０〜６２０ｎｍの範囲におけるロイコ染料分子のモル減衰係数（一部の文献ではモル吸光係数、モル吸収係数、及び／又はモル吸光率としても知られている）の変化に起因する。トリガ前後のロイコ染料のモル減衰係数の増加は、５０％よりも大きく、より好ましくは２００％よりも大きく、最も好ましくは５００％よりも大きくなければならない。
【発明の概要】
【発明が解決しようとする課題】
【０００５】
したがって、消費者が組成物の推定劣化を評価し、それによって組成物の推定有効性を評価する必要性が依然として存在する。
【０００６】
驚くべきことに、現在特許請求されているロイコ着色剤は、他の配合成分が、それらが曝露されている温度などのそのような要因に応答し、それによって組成物の推定劣化及び推定有効性を消費者に提供するのと同じ方法で、環境要因に応答して経時的に発色することが見出された。加えて、ロイコ着色剤が青色を発色させる場合、ロイコ着色剤を使用して劣化した洗濯ケア組成物の自然の黄変を中和することができ、またロイコ着色剤は、これらのロイコ形態又は酸化形態のいずれかで洗濯によって布地上に付着して、劣化した布地に白色度の向上をもたらすように設計されてもよい。
【課題を解決するための手段】
【０００７】
一態様では、本発明は、（ａ）少なくとも１種の洗濯ケア成分と、（ｂ）ロイコ組成物と、を含む、洗濯ケア組成物を提供する。ロイコ組成物は第１の色状態及び第２の色状態を有し、かつ第２の色状態の第１の色状態に対するモル比は、２：９８〜２５：７５、好ましくは２：９８〜１５：８５、又は〜１０：９０、又は更には〜５：９５である。
【０００８】
本発明は、本発明による洗濯ケア組成物で織物物品を処理するための方法を更に包含する。
【０００９】
別の態様では、本発明は、（ａ）（ｉ）少なくとも１種の洗濯ケア成分と（ｉｉ）ロイコ組成物と、を含む洗濯ケア組成物を提供する工程と、（ｂ）複数の異なる色を含む機能劣化スケールを提供する工程であって、それぞれの別個の色が固有の機能劣化に対応する、機能劣化スケールを提供する工程と、（ｃ）洗濯ケア組成物の色を機能劣化スケールと比較する工程と、を含む、洗濯ケア組成物のおおよその機能劣化を判定する方法に関する。
【発明を実施するための形態】
【００１０】
定義
本明細書で使用するとき、用語「アルコキシ」は、Ｃ１〜Ｃ８アルコキシ、及びブチレンオキシド、グリシドールオキシド、エチレンオキシド、又はプロピレンオキシドなどの繰り返し単位を有するポリオールのアルコキシ誘導体を含むことを意図する。
【００１１】
本明細書で使用するとき、互換可能な用語「アルキレンオキシ」及び「オキシアルキレン」、並びに互換可能な用語「ポリアルキレンオキシ」及び「ポリオキシアルキレン」は、一般に、以下の繰り返し単位：−Ｃ２Ｈ４Ｏ−、−Ｃ３Ｈ６Ｏ−、−Ｃ４Ｈ８Ｏ−、及びこれらの任意の組み合わせの１つ又は２つ以上をそれぞれ含有する分子構造を指す。これら基に対応する非限定的な構造としては、例えば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−、及び−ＣＨ２ＣＨ（ＣＨ２ＣＨ３）Ｏ−が挙げられる。更に、ポリオキシアルキレン構成要素は、Ｃ２〜２０アルキレンオキシ基、グリシジル基、又はこれらの混合物から選択される１つ以上のモノマーからなる群から選択されてもよい。
【００１２】
本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００１３】
本明細書で使用するとき、用語「アルキル」及び「アルキル末端保護された」は、置換又は無置換の炭化水素から水素原子を除去することによって形成される任意の一価基を意味することを意図する。非限定的な例としては、Ｃ１〜Ｃ１８アルキル基、一態様では、Ｃ１〜Ｃ６アルキル基を含む分岐状又は非分岐状、置換又は無置換のヒドロカルビル部分が挙げられる。
【００１４】
本明細書で使用するとき、特に明記しない限り、用語「アリール」は、Ｃ３〜Ｃ１２アリール基を含むことを意図する。用語「アリール」は、炭素環式及び複素環式のアリール基の両方を指す。
【００１５】
本明細書で使用するとき、用語「アルカリール」は、任意のアルキル置換アリール置換基及びアリール置換アルキル置換基を指す。より具体的には、この用語は、追加の置換基を含んでいても含んでいなくてもよいＣ７〜１６アルキル置換アリール置換基及びＣ７〜１６アリール置換アルキル置換基を指すことを意図する。
【００１６】
本明細書で使用するとき、用語「洗剤組成物」は、洗濯ケア組成物の一部であり、布地を洗濯するための製品が挙げられるがこれに限定されない洗浄組成物を含む。このような組成物は、洗浄工程の前に用いるための前処理組成物であっても、すすぎ時添加用組成物、並びに、漂白添加剤及び「シミ取りスティック」又は前処理タイプのような洗浄助剤であってもよい。
【００１７】
本明細書で使用するとき、用語「洗濯ケア組成物」は、特に指定しない限り、顆粒状、粉末状、液状、ゲル状、ペースト状、単位用量型、棒状、及び／又はフレーク状の洗浄剤及び／又は布地処理組成物を含み、例えば、布地を洗濯するための製品、布地柔軟化組成物、布地強化組成物、布地フレッシュニング組成物、並びに布地をケア及びメンテナンスするためのその他の製品、並びにこれらの組み合わせが挙げられるが、これらに限定されない。このような組成物は、洗浄工程の前に用いるための前処理組成物であっても、すすぎ添加用組成物、並びに漂白添加剤及び／又は「シミ取りスティック」、又は前処理組成物、又は乾燥機添加用シートなどの基材を有する製品などの洗浄助剤であってもよい。
【００１８】
本明細書で使用するとき、用語「ロイコ」（例えば、化合物、部分、基、染料、モノマー、断片、又はポリマーに関して使用するとき）は、特定の化学的又は物理的なトリガに曝露された際、１つ以上の化学的及び／又は物理的な変化を受け、その結果、第１の色状態（例えば、無着色又は実質的に無色）から第２のより高度に有色の状態へとシフトする実体（例えば、有機化合物又はその一部）を指す。好適な化学的又は物理的なトリガとしては、酸化、ｐＨ変化、温度変化、及び電磁放射線（例えば、光）曝露における変化が挙げられるが、これらに限定されない。ロイコ実体において生じる好適な化学的又は物理的な変化としては、分子内環化などの酸化及び非酸化的変化が挙げられるが、これらに限定されない。したがって、一態様では、好適なロイコ実体は、発色団の可逆的に還元された形態であり得る。一態様では、ロイコ部分は、好ましくは、上記の化学的及び／又は物理的なトリガの１つ以上に曝露された際、当該第１及び第２のπ系を組み込んだ第３の複合共役π系に変換され得る、少なくとも第１及び第２のπ系を含む。
【００１９】
本明細書で使用するとき、用語「ロイコ組成物」又は「ロイコ着色剤組成物」は、本明細書で更に詳細に記載されるように、独立して選択される構造を有する少なくとも２種のロイコ化合物を含む組成物を指す。
【００２０】
本明細書で使用するとき、ロイコ着色剤の「平均分子量」は、その分子量分布によって決定したときの重量平均分子量として報告され、その製造プロセスの結果として、本明細書に開示されるロイコ着色剤は、そのポリマー部分に繰り返し単位の分布を含み得る。
【００２１】
本明細書で使用するとき、用語「最大吸光係数」及び「最大モル吸光係数」は、４００ナノメートル〜７５０ナノメートルの範囲における最大吸光波長（本明細書では最大波長とも称する）におけるモル吸光係数を表すことを意図する。
【００２２】
本明細書で使用するとき、用語「第１の色」は、トリガ前の洗濯ケア組成物の色を指すために使用され、無色及び実質的に無色を含む任意の色を含むことを意図する。
【００２３】
本明細書で使用するとき、用語「第２の色」は、トリガ後の洗濯ケア組成物の色を指すために使用され、目視検査又は分光測光分析などの分析技術の使用のいずれかを通じて洗濯ケア組成物の第１の色と区別可能な任意の色を含むことを意図する。
【００２４】
本明細書で使用するとき、用語「変換剤」は、その既知の形態（一重項及び三重項の状態）のいずれかにおける分子酸素以外の、当該技術分野において既知の任意の酸化剤を指す。
【００２５】
本明細書で使用するとき、用語「トリガ剤」は、ロイコ組成物を無色又は実質的に無色の状態から有色の状態に変換するのに好適な反応物質を指す。
【００２６】
本明細書で使用するとき、用語「白化剤」は、白色の綿布における場合、２１０〜３４５の相対色相角、又は更には２４０〜３２０の相対色相角、又は更には２５０〜３００（例えば、２５０〜２９０）の相対色相角を有する色相を当該布に提供する、トリガされたら染料を形成することができる染料又はロイコ着色剤を指す。
【００２７】
本明細書で使用するとき、「セルロース基材」は、重量基準でセルロースの少なくとも大部分を占めるあらゆる基材を含むことが意図される。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。セルロース繊維から形成される物品としては、布地などの織物製品が挙げられる。パルプから形成される物品としては、紙が挙げられる。
【００２８】
本明細書で使用するとき、特許請求の範囲において使用される「ａ」及び「ａｎ」などの冠詞は、特許請求又は記述されるものが１つ以上であることを意味すると理解される。
【００２９】
本明細書で使用するとき、用語「含む（「ｉｎｃｌｕｄｅ／ｓ」及び「ｉｎｃｌｕｄｉｎｇ」）」は非限定的であることを意味する。
【００３０】
本明細書において使用するとき、用語「固体」は、顆粒、粉末、バー及び錠剤の製品形態を含む。
【００３１】
本発明で使用する場合、用語「流体」は、液体、ゲル、ペースト及び気体の製品形態を含む。
【００３２】
本出願人らの発明のパラメータのそれぞれの値を求めるには、本出願の試験方法の項で開示される試験方法を用いるべきである。
【００３３】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００３４】
全ての百分率及び比率は、別途記載のない限り、重量基準で計算される。全ての百分率及び比率は、別途記載のない限り、全組成に基づいて計算される。
【００３５】
一態様では、２００〜１，０００ｎｍ（より好ましくは４００〜７５０ｎｍ）の範囲の波長における最大吸光度における当該第２の有色状態のモル吸光係数は、第２の有色状態の最大吸光度の波長における当該第１の色状態のモル吸光係数の好ましくは少なくとも５倍、より好ましくは１０倍、更により好ましくは２５倍、最も好ましくは少なくとも５０倍である。好ましくは、２００〜１，０００ｎｍ（より好ましくは４００〜７５０ｎｍ）の範囲の波長における最大吸光度における当該第２の有色状態のモル吸光係数は、対応する波長範囲における当該第１の色状態の最大モル吸光係数の少なくとも５倍、好ましくは１０倍、更により好ましくは２５倍、最も好ましくは少なくとも５０倍である。当業者であれば、これら比がはるかに高くなり得ることを理解するであろう。例えば、第１の色状態は、４００〜７５０ｎｍの波長範囲においてわずか１０Ｍ−１ｃｍ−１の最大モル吸光係数を有していてよく、第２の有色状態は、４００〜７５０ｎｍの波長範囲において８０，０００Ｍ−１ｃｍ−１以上もの最大モル吸光係数を有していてよく、この場合、吸光係数の比は８，０００：１以上になる。
【００３６】
一態様では、４００〜７５０ｎｍの範囲の波長における当該第１の色状態の最大モル吸光係数は１０００Ｍ−１ｃｍ−１未満であり、４００〜７５０ｎｍの範囲の波長における当該第２の有色状態の最大モル吸光係数は、５，０００Ｍ−１ｃｍ−１よりも大きく、好ましくは１０，０００、２５，０００、５０，０００又は更には１００，０００Ｍ−１ｃｍ−１よりも大きい。当業者であれば、１つを超えるロイコ部分を含むポリマーが、第１の色状態において有意に高い最大モル吸光係数を有し得る（例えば、多数のロイコ部分の相加効果又は第２の有色状態に変換された１つ以上のロイコ部分の存在に起因する）ことを認識し、理解するであろう。
【００３７】
本発明は、色相を提供して織物基材を白色化するために、液体洗濯洗剤などの洗濯ケア組成物で使用するのに有用であり得るロイコ着色剤の分類に関する。ロイコ着色剤は、本質的に無色であるか、又はほんのわずかに有色であるが、活性化時に強烈に発色することができる化合物である。洗濯ケア組成物においてロイコ化合物を使用する１つの利点は、このような化合物は活性化されるまで無色であるので、洗濯ケア組成物がそれ自体の色を呈することができる点である。ロイコ着色剤は、一般に、洗濯ケア組成物の原色を変化させない。したがって、このような組成物の製造業者は、青味剤などの添加成分が組成物の最終色値に影響を及ぼすことに関して懸念することなく、消費者にとって最も魅力的な色を配合することができる。
【００３８】
本発明の洗濯ケア組成物に使用されるロイコ着色剤の量は、本発明の目的を達成するのに好適な任意の濃度であってよい。一態様では、洗濯ケア組成物は、約０．０００１重量％〜約１．０重量％、好ましくは０．０００５重量％〜約０．５重量％、更により好ましくは約０．０００８重量％〜約０．２重量％、最も好ましくは０．００４重量％〜約０．１重量％の量のロイコ着色剤を含む。
【００３９】
別の態様では、洗濯ケア組成物は、０．００２５〜５．０ミリ当量／ｋｇ、好ましくは０．００５〜２．５ミリ当量／ｋｇ、更により好ましくは０．０１〜１．０ミリ当量／ｋｇ、最も好ましくは０．０５〜０．５０ミリ当量／ｋｇの量のロイコ着色剤を含み、ミリ当量／ｋｇの単位は、洗濯組成物１ｋｇ当たりのロイコ部分のミリ当量を指す。１つを超えるロイコ部分を含むロイコ着色剤では、ミリ当量数は、以下の等式によるロイコ着色剤のミリモル数に関連する：（ロイコ着色剤のミリモル）×（ロイコ部分のミリ当量数／ロイコ着色剤のミリモル）＝ロイコ部分のミリ当量。ロイコ着色剤当たり単一のロイコ部分しか存在しない場合、ミリ当量／ｋｇの数は、洗濯ケア組成物の１ｋｇ当たりのロイコ着色剤のミリモルの数に等しい。
【００４０】
一態様では、本発明は、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択されるロイコ組成物に関する。
【００４１】
本明細書で使用するのに好適なジアリールメタンロイコ化合物としては、本明細書に記載される第２の有色状態を形成することができるジアリールメチレン誘導体が挙げられるが、これらに限定されない。好適な例としては、ミヒラーメタン、−ＯＨ基で置換されたジアリールメチレン（例えば、ミヒラーヒドロール）並びにそのエーテル及びエステル、−ＣＮ基などの光切断性部分で置換されたジアリールメチレン（ビス（パラ−Ｎ，Ｎ−ジメチル）フェニル）アセトニトリル）、並びに同様のこのような化合物が挙げられるが、これらに限定されない。
【００４２】
一態様では、本発明は、
【００４３】
【化１】
2020534419.tif 000002
（ｆ）これらの混合物
から選択される群に一致する１つ以上のロイコ化合物を含む組成物に関するものであり、
式中、式Ｉ〜Ｖの酸化形態に対する比は、９８：２〜７５：２５、好ましくは９８：２〜８５：１５、又は９８：２〜９０：１０、又は更には９８：２〜９５：５である。
【００４４】
式（Ｉ）の構造では、各環Ａ、Ｂ及びＣにおける各個々のＲｏ、Ｒｍ、及びＲｐ基は、独立して水素、重水素、及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添字ｎは、０〜４、好ましくは０〜１、最も好ましくは０の整数であり、異なるＡ、Ｂ及びＣ環における２つのＲｏ基が結合して、５員以上の縮合環を形成してもよく、縮合環が６員以上であるとき、異なるＡ、Ｂ及びＣ環における２つのＲｏ基が結合して、任意に１つ以上のヘテロ原子を含有する有機リンカーを形成してもよく、一実施形態では、異なるＡ、Ｂ及びＣ環における２つのＲｏ基が結合して、−Ｏ−及び−Ｓ−から選択されるヘテロ原子架橋を形成して、６員縮合環を作り、同じ環におけるＲｏ及びＲｍ又は同じ環におけるＲｍ及びＲｐが結合して、縮合脂肪族環又は縮合芳香族環を形成してもよく、これら環のいずれもヘテロ原子を含有してもよく、３つの環Ａ、Ｂ又はＣの少なくとも１つにおいて、Ｒｏ及びＲｍ基の好ましくは少なくとも２つ、より好ましくは少なくとも３つ、最も好ましくは４つ全てが水素であり、好ましくは、環Ａ、Ｂ及びＣの少なくとも２つにおけるＲｏ及びＲｍ基の４つ全てが水素であり、いくつかの実施形態では、環Ａ、Ｂ及びＣにおける全てのＲｏ及びＲｍ基が水素であり、好ましくは、各Ｒｐは、独立して、水素、−ＯＲ１及び−ＮＲ１Ｒ２から選択され、Ｒｐの２つ以下、好ましくは１つ以下が水素であり、好ましくは水素は存在せず、より好ましくは、少なくとも１つ、好ましくは２つ、最も好ましくは３つ全てのＲｐが−ＮＲ１Ｒ２であり、いくつかの実施形態では、環Ａ、Ｂ及びＣの１つ又は更には２つは、任意に１つ以上の独立して選択されるＲ５基で置換されている、独立してＯ、Ｓ及びＮから選択される１又は２つのヘテロ原子を含む、独立して選択されるＣ３〜Ｃ９ヘテロアリール環で置換されてもよく、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、又はホスフィンオキシドからなる群から選択され、一態様では、Ｇの［（重水素）／（重水素＋水素）］の比率は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のいずれか２つが結合して、任意に−Ｏ−、−ＮＲ１５−、及び−Ｓ−からなる群から選択される１つ以上の追加のヘテロ原子を含む５員以上の環を形成してもよい。
【００４５】
式（ＩＩ）〜（ＩＩＩ）の構造中、ｅ及びｆは、独立して、０〜４の整数であり、各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、各Ｒ２５は、独立して、単糖部分、二糖部分、オリゴ糖部分、及び多糖部分、−Ｃ（Ｏ）Ｒ１、−Ｃ（Ｏ）ＯＲ１、−Ｃ（Ｏ）ＮＲ１Ｒ２からなる群から選択され、各Ｒ２２及びＲ２３は、独立して、水素、アルキル基、及び置換アルキル基からなる群から選択される。
【００４６】
式（ＩＶ）の構造中、Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、独立して、アルキル基、置換アルキル基、アリール基、置換アリール基、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添字ｎは、０〜４、好ましくは０〜１、最も好ましくは０の整数であり、−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基が結合して、５員以上の縮合環を形成してもよく、縮合環中の原子の２つ以下が窒素原子であってもよい。
【００４７】
式（Ｖ）の構造中、Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、Ｒ４０及びＲ４１は、独立して−（ＣＨ２）ｎ−Ｏ−Ｒ１、−（ＣＨ２）ｎ−ＮＲ１Ｒ２からなる群から選択され、添字ｎは０〜４、好ましくは０〜１、最も好ましくは０の整数であり、ｊ及びｋは、独立して、０〜３の整数であり、Ｒ４２及びＲ４３は、独立してアルキル、置換アルキル、アリール、置換アリール、アルカリール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２からなる群から選択され、添字ｎは０〜４、好ましくは０〜１、最も好ましくは０の整数であり、Ｒ４４は、−Ｃ（Ｏ）Ｒ１、−Ｃ（Ｏ）ＮＲ１Ｒ２、及び−Ｃ（Ｏ）ＯＲ１である。
【００４８】
式（Ｉ）〜（Ｖ）の構造において、前述の基のいずれかに存在する任意の電荷は、好適な独立して選択される内部又は外部対イオンと平衡化される。好適な独立して選択される外部対イオンは、カチオン性又はアニオン性であってよい。好適なカチオンの例としては、好ましくは第Ｉ族及び第ＩＩ族から選択される１種以上の金属が挙げられるが、これらに限定されず、これらのうち最も好ましいものは、Ｎａ、Ｋ、Ｍｇ、及びＣａ、又はイミニウム、アンモニウム、及びホスホニウムなどの有機カチオンである。好適なアニオンの例としては、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレンビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホネートが挙げられるが、これらに限定されない。当業者は、上に列挙したものの代わりに使用することができる異なる対イオンを十分に認識している。
【００４９】
式（Ｉ）〜（Ｖ）の構造中、Ｒ１、Ｒ２、Ｒ３、及びＲ１５は、独立して、水素、アルキル、置換アルキル、アリール、置換アリール、アルカリール、置換アルカリール、及びＲ４からなる群から選択され、式中、Ｒ４は、２８〜５００、好ましくは４３〜３５０、更により好ましくは４３〜２５０の範囲の当該モノマー分子量を有する１つ以上の有機モノマーから構成される有機基であり、この有機基は、式Ｉ〜Ｖの構造に一致する１つ以上の追加のロイコ着色剤部分で置換され得る。一態様では、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される。一態様では、Ｒ４はＥＯ、ＰＯ、ＢＯ、及びこれらの混合物から選択され、より好ましくはＥＯ単独又はＥＯ／ＰＯ混合物から選択される。任意のロイコ着色剤が３つ以上の連続するモノマーを有するＲ４基を含む場合、そのロイコ着色剤は、本明細書において「ポリマーロイコ着色剤」として定義される。当業者は、溶解度、分配、付着、除去、染色などの多くの特性属性のいずれかに関する化合物の特性が、その中に組み込まれるこのような連続するモノマーの配置、同一性、及び数に関連することを承知している。したがって、当業者は、このような連続するモノマーの配置、同一性、及び数を調整して、程度の差はあれ予測可能な様式で任意の特定の属性を変化させることができる。
【００５０】
好ましいロイコ着色剤としては、式ＶＩの構造に一致するものが挙げられ、
【００５１】
【化２】
2020534419.tif 000003
式中、各Ｒ４は、Ｈ、メチル、エチル、（（ＣＨ２ＣＨ２Ｏ）ａＣ３Ｈ６Ｏ）ｂ）Ｈ、及びこれらの混合物からなる群から独立して選択され；好ましくは、少なくとも１つのＲ４基は、（（ＣＨ２ＣＨ２Ｏ）ａ（Ｃ３Ｈ６Ｏ）ｂ）Ｈであり；式中、各添字ａは独立して１〜１００の整数であり、各添字ｂは独立して０〜５０の整数であり、式中、全Ｒ４基中の全ての独立して選択される整数ａの合計は、２００以下、好ましくは１００以下であり、全Ｒ４基中の全ての独立して選択される整数ｂの合計は、１００以下、好ましくは５０以下である。好ましくは、少なくとも２つのＲ４基は、メチル及びエチルから選択され、最も好ましくは、構造ＶＩ中の少なくとも１つのＮは、メチル及びエチル、好ましくはメチルから選択される２つのＲ４基で置換される。非付着性ロイコ着色剤が所望される場合、全Ｒ４基中の全ての独立して選択される整数ａの合計は、２０以上、好ましくは３０以上、４０以上、又は更には５０以上であり、全Ｒ４基中の全ての独立して選択される整数ｂの合計は、２０以下、又は更には１０以下である。一態様では、非付着性ロイコ着色剤は、全Ｒ４基が、全ての独立して選択される整数ｂの合計を０として有してもよい。
【００５２】
非常に好ましいロイコ着色剤としては、式ＶＩＩの構造に一致するものが挙げられ、
【００５３】
【化３】
2020534419.tif 000004
式中、各添字ｃは、独立して、０、１、又は２であり、好ましくは各ｃは１であり；各Ｒ４は、Ｈ、メチル、エチル、（（ＣＨ２ＣＨ２Ｏ）ａＣ３Ｈ６Ｏ）ｂ）Ｈ、及びこれらの混合物からなる群から独立して選択され；好ましくは、各Ｒ４は（（ＣＨ２ＣＨ２Ｏ）ａ（Ｃ３Ｈ６Ｏ）ｂ）Ｈであり、各添字ａは、独立して、１〜５０、より好ましくは１〜２５、更により好ましくは１〜２０、１〜１５、１〜１０、１〜５、又は更には１〜２の整数であり；各添字ｂは、独立して、０〜２５、より好ましくは０〜１５、更により好ましくは１〜５、又は更には１〜３の整数であり、ロイコ着色剤中の全ての独立して選択される整数ａの合計は、１００以下、より好ましくは８０以下、最も好ましくは６０、４０、２０、１０以下、又は更には５以下であり、ロイコ着色剤中の全ての独立して選択される整数ｂの合計は、５０以下、より好ましくは４０以下、最も好ましくは３０、２０以下、又は更には１０以下である。
【００５４】
一態様では、本発明のロイコ着色剤は、４５ｍＮ／ｍ超、より好ましくは４７．５ｍＮ／ｍ超、最も好ましくは５０ｍＮ／ｍ超の表面張力値を有する。別の態様では、ロイコ着色剤の第２の有色状態は、４５ｍＮ／ｍ超、より好ましくは４７．５ｍＮ／ｍ超、最も好ましくは５０ｍＮ／ｍ超の表面張力値を有する。本発明の更に別の態様では、ロイコ着色剤及びその対応する第２の有色状態の両方は、４５ｍＮ／ｍ超、より好ましくは４７．５ｍＮ／ｍ超、最も好ましくは５０ｍＮ／ｍ超の表面張力値を有する。
【００５５】
上記のロイコ化合物は、家庭用洗濯プロセスなどの織物材料の処理に使用するのに好適であると考えられる。具体的には、ロイコ化合物は、ロイコ化合物の性質に起因して、織物材料の繊維上に付着すると考えられる。更に、織物材料上に付着したら、ロイコ化合物をその有色形態に変換する適切な化学的又は物理的なトリガを適用することによって、ロイコ化合物を有色化合物に変換することができる。例えば、ロイコ化合物が酸化化合物に酸化された際、ロイコ化合物はその有色形態に変換され得る。適切なロイコ部分を選択することによって、ロイコ化合物がその有色形態に変換されたときに所望の色相を織物材料に付与するようにロイコ化合物を設計することができる。例えば、その有色形態に変換された際に青色の色相を呈するロイコ化合物を使用して、時間の経過及び／又は洗濯の繰り返しによって通常生じる織物材料の黄変を相殺することができる。したがって、他の実施形態では、本発明は、上記のロイコ化合物を含む洗濯ケア組成物及び家庭で織物材料を処理する方法（例えば、洗濯又は衣類の物品を洗浄する方法）を提供する。
【００５６】
好ましくは、ロイコ化合物は、２１０〜３４５の相対色相角、又は更には２４０〜３２０の相対色相角、又は更には２５０〜３００（例えば、２５０〜２９０）の相対色相角で布に色相を提供する。相対色相角は、当該技術分野において既知の任意の好適な方法によって求めることができる。しかしながら、好ましくは、相対色相角は、ロイコ実体が全く存在しない綿布と比べて、ロイコ実体の綿布への付着に関して本明細書で更に詳細に記載されるように決定することができる。
【００５７】
好ましい一実施形態では、洗濯ケア組成物の色相角とロイコ着色剤によってもたらされる相対色相角とは異なる。好ましくは、洗濯ケア組成物の色相角及びロイコ着色剤によってもたらされる相対色相角は、両方とも本明細書で更に詳細に記載されており、互いに少なくとも５、１０、１５、２０、２５、３０、４０、５０、６０、７０、８０、９０、１０５、１２０、１４０、及び１６０である。
【００５８】
洗濯ケア成分
界面活性剤系
本発明の製品は、約０．００重量％〜、より典型的には約０．１０〜８０重量％の界面活性剤を含んでもよい。一態様において、かかる組成物は、約５重量％〜５０重量％の界面活性剤を含んでもよい。使用される界面活性剤は、アニオン性、非イオン性、両向性（amphoteric）、両性（ampholytic）、双性イオン性、若しくはカチオン性の種類のものであってもよく、又はこれらの種類の界面活性剤の相溶性混合物を含んでもよい。布地ケア製品が洗濯洗剤である場合、アニオン性及び非イオン性界面活性剤が通常用いられる。一方、布地ケア製品が布地柔軟剤である場合、カチオン性界面活性剤が通常用いられる。
【００５９】
アニオン性界面活性剤
有用なアニオン性界面活性剤は、それら自体がいくつかの異なるタイプのものであってよい。例えば、高級脂肪酸類の水溶性塩、すなわち「石鹸」は、本明細書の組成物において有用なアニオン性界面活性剤である。これは、約８〜約２４個の炭素原子、又は更には約１２〜約１８個の炭素原子を含有する高級脂肪酸のナトリウム、カリウム、アンモニウム、及びアルキロールアンモニウム塩などのアルカリ金属石鹸を含む。石鹸は、油脂の直接鹸化によって、又は遊離脂肪酸の中和によって作製することができる。特に有用なものは、ココヤシ油及び獣脂から誘導される脂肪酸の混合物のナトリウム塩及びカリウム塩、すなわち、ナトリウム又はカリウムタロー及びココヤシ石鹸である。
【００６０】
好ましいアルキルは、Ｃ８〜１８のアルキルアルコキシル化サルフェート、好ましくはＣ１２〜１５のアルキル又はヒドロキシアルキルアルコキシル化サルフェートである。好ましくはアルコキシル化基はエトキシル化基である。典型的には、アルキルアルコキシル化サルフェートの平均アルコキシル化度は０．５〜３０若しくは２０、又は０．５〜１０である。アルキル基は、分岐状又は直鎖状であり得る。アルコキシル化アルキルサルフェート界面活性剤はアルコキシル化アルキルサルフェートの混合物であってもよく、この混合物は、約１２〜約３０個の炭素原子の範囲内の平均（算術平均）炭素鎖長、又は約１２〜約１５個の炭素原子の平均炭素鎖長と、約１モル〜約４モルのエチレンオキシド、プロピレンオキシド、若しくはこれらの混合物の平均（算術平均）アルコキシル化度、又は約１．８モルのエチレンオキシド、プロピレンオキシド、若しくはこれらの混合物の平均（算術平均）アルコキシル化度と、を有する。このアルコキシル化アルキルサルフェート界面活性剤は、約１０個の炭素原子〜約１８個の炭素原子の炭素鎖長と、約０．１〜約６モルのエチレンオキシド、プロピレンオキシド、又はこれらの混合物のアルコキシル化度と、を有し得る。アルコキシル化アルキルサルフェートは、エチレンオキシド、プロピレンオキシド、又はこれらの混合物でアルコキシル化されてもよい。アルキルエーテルサルフェート界面活性剤は、ピークのあるエトキシレート分布を含んでもよい。具体例としては、ＳｈｅｌｌからのＮＥＯＤＯＬ（登録商標）アルコールから誘導されたＣ１２〜Ｃ１５のＥＯ２．５サルフェート、Ｃ１４〜Ｃ１５のＥＯ２．５サルフェート、及びＣ１２−Ｃ１５のＥＯ１．５サルフェート、並びにＨｕｎｔｓｍａｎからの天然アルコールから誘導されたＣ１２〜Ｃ１４のＥＯ３サルフェート、Ｃ１２〜Ｃ１６のＥＯ３サルフェート、Ｃ１２〜Ｃ１４のＥＯ２サルフェート、及びＣ１２〜Ｃ１４のＥＯ１サルフェートが挙げられる。ＡＥＳは直鎖状、分岐状、又はこれらの組み合わせであってよい。アルキル基は、Ｓｈｅｌｌによる商品名Ｎｅｏｄｏｌ（登録商標）、Ｓａｓｏｌによる商品名Ｓａｆｏｌ（登録商標）、Ｌｉａｌ（登録商標）、及びＩｓａｌｃｈｅｍ（登録商標）によって供給されるものなどの合成若しくは天然アルコール、又はココナッツ及びパーム核などの植物油から誘導されるミッドカット（midcut）アルコールから誘導することができる。別の好適なアニオン性洗浄界面活性剤は、Ｃ１０〜Ｃ２６直鎖又は分岐鎖、好ましくはＣ１０〜Ｃ２０直鎖、最も好ましくはＣ１６〜Ｃ１８直鎖アルキルアルコールと、２〜２０、好ましくは７〜１３、より好ましくは８〜１２、最も好ましくは９．５〜１０．５のエトキシレートと、を含むアルキルエーテルカルボキシレートである。酸形態又はナトリウム若しくはアンモニウムの塩などの塩形態を使用してよく、アルキル鎖は、１つのシス又はトランス二重結合を含有していてもよい。アルキルエーテルカルボン酸は、花王（Ａｋｙｐｏ（登録商標））、Ｈｕｎｔｓｍａｎ（Ｅｍｐｉｃｏｌ（登録商標））及びＣｌａｒｉａｎｔ（Ｅｍｕｌｓｏｇｅｎ（登録商標））から入手可能である。
【００６１】
他の有用なアニオン性界面活性剤としては、アルキル基が約９個〜約１５個の炭素原子を直鎖状（直鎖）又は分枝鎖状の構造で含有する、アルキルベンゼンスルホネートのアルカリ金属塩を挙げ得る。いくつかの例では、アルキル基は、直鎖である。こうした直鎖アルキルベンゼンスルホネートは、「ＬＡＳ」として既知である。他の例では、直鎖アルキルベンゼンスルホネートは、アルキル基中に約１１個〜１４個の平均炭素原子数を有していてよい。具体的な例では、直線状直鎖アルキルベンゼンスルホン酸塩は、アルキル基中約１１．８個の炭素原子の平均炭素原子数を有し得、Ｃ１１．８ＬＡＳと略称され得る。好ましいスルホン酸塩は、Ｃ１０〜１３アルキルベンゼンスルホン酸塩である。好適なアルキルベンゼンスルホネート（ＬＡＳ）は、市販の直鎖アルキルベンゼン（ＬＡＢ）をスルホン化することによって得ることができる。好適なＬＡＢとしては、商標名Ｉｓｏｃｈｅｍ（登録商標）としてＳａｓｏｌによって供給されているもの又は商標名Ｐｅｔｒｅｌａｂ（登録商標）としてＰｅｔｒｅｓａによって供給されているものなどの低２−フェニルＬＡＢが挙げられ、他の好適なＬＡＢとしては、商標名Ｈｙｂｌｅｎｅ（登録商標）としてＳａｓｏｌによって供給されているものなどの高２−フェニルＬＡＢが挙げられる。好適なアニオン性洗浄性界面活性剤は、ＤＥＴＡＬ触媒プロセスによって得られるアルキルベンゼンスルホネートであるが、ＨＦなどの他の合成経路が好適な場合もある。一態様では、ＬＡＳのマグネシウム塩を用いる。本明細書に用いるのに好適なアニオン性スルホネート塩界面活性剤としては、Ｃ８〜Ｃ１８アルキル又はヒドロキシアルキルスルホネートの水溶性塩、Ｃ１１〜Ｃ１８アルキルベンゼンスルホネート（ＬＡＳ）、国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号に記載される変性アルキルベンゼンスルホネート（ＭＬＡＳ）、メチルエステルスルホネート（ＭＥＳ）；及びα−オレフィンスルホネート（ＡＯＳ）が挙げられる。これらはまた、１０〜２０炭素原子のパラフィンをスルホネート化することによって得られる、モノスルホネート及び／又はジスルホネートであり得るパラフィンスルホネートを含む。スルホネート界面活性剤としては、アルキルグリセリルスルホネート界面活性剤も挙げ得る。
【００６２】
本発明のアニオン性界面活性剤は酸型で存在してもよく、当該酸型を中和して、本発明の洗剤組成物で使用するのに望ましい界面活性剤塩を形成することができる。典型的な中和剤としては、水酸化物、例えば、ＮａＯＨ又はＫＯＨなどの金属対イオン塩基が挙げられる。これら酸型における、本発明の中和性アニオン性界面活性剤及び補助アニオン性界面活性剤又は共界面活性剤向けの更に好ましい薬剤としては、アンモニア、アミン、又はアルカノールアミンが挙げられる。アルカノールアミンが好ましい。好適な非限定的な例としては、モノエタノールアミン、ジエタノールアミン、トリエタノールアミン、及び当該技術分野で既知の他の直鎖状若しくは分岐鎖状アルカノールアミンが挙げられ、例えば、極めて好ましいアルカノールアミンとしては、２−アミノ−１−プロパノール、１−アミノプロパノール、モノイソプロパノールアミン、又は１−アミノ−３−プロパノールが挙げられる。
【００６３】
非イオン性界面活性剤
好ましくは、本発明の組成物は非イオン性洗浄性界面活性剤を含む。好適な非イオン性界面活性剤としては、アルコキシル化脂肪族アルコールが挙げられる。非イオン性界面活性剤は、式Ｒ（ＯＣ２Ｈ４）ｎＯＨのエトキシル化アルコール及びエトキシル化アルキルフェノールから選択され得、式中、Ｒは、約８個〜約１５個の炭素原子を含有する脂肪族炭化水素基、及びアルキル基が約８個〜約１２個の炭素原子を含有するアルキルフェニル基からなる群から選択され、ｎの平均値は、約５〜約１５である。本明細書で有用な非イオン性界面活性剤の他の非限定的な例としては、ＳｈｅｌｌからのＮＥＯＤＯＬ（登録商標）非イオン性界面活性剤などのＣ８〜Ｃ１８アルキルエトキシレート、アルコキシレート単位がエチレンオキシ単位、プロピレンオキシ単位、又はこれらの混合物であり得るＣ６〜Ｃ１２アルキルフェノールアルコキシレート、ＢＡＳＦからのＰｌｕｒｏｎｉｃ（登録商標）などのエチレンオキシド／プロピレンオキシドブロックポリマーとのＣ１２〜Ｃ１８アルコール及びＣ６〜Ｃ１２アルキルフェノールの縮合体、Ｃ１４〜Ｃ２２中鎖分岐状アルコール（ＢＡ）、Ｃ１４〜Ｃ２２中鎖分岐状アルキルアルコキシレート（ＢＡＥＸ（式中、ｘは１〜３０である））、アルキル多糖類；具体的にはアルキルポリグリコシド；ポリヒドロキシ脂肪酸アミド、並びにエーテルキャップ化ポリ（オキシアルキル化）アルコール界面活性剤が挙げられる。具体的な例としては、ＳｈｅｌｌからのＣ１２〜Ｃ１５ＥＯ７及びＣ１４〜Ｃ１５ＥＯ７のＮＥＯＤＯＬ（登録商標）非イオン性界面活性剤と、ＨｕｎｔｓｍａｎからのＣ１２〜Ｃ１４ＥＯ７及びＣ１２−Ｃ１４ＥＯ９のＳｕｒｆｏｎｉｃ（登録商標）非イオン性界面活性剤と、が挙げられる。
【００６４】
極めて好ましい非イオン性界面活性剤は、ゲルベアルコールと、アルコール１モル当たり２〜１８モル、好ましくは２〜１５モル、より好ましくは５〜９モルのエチレンオキシドとの縮合生成物である。好適な非イオン性界面活性剤としては、ＢＡＳＦ製の商標名Ｌｕｔｅｎｓｏｌ（登録商標）を有するものが挙げられる。Ｌｕｔｅｎｓｏｌ  ＸＰ−５０は、平均で約５個のエトキシ基を含有するゲルベエトキシレートである。Ｌｕｔｅｎｓｏｌ  ＸＰ−８０、及び平均で約８個のエトキシ基を含有すること。本明細書で用いるのに好適な他の非イオン性界面活性剤としては、脂肪アルコールポリグリコールエーテル、アルキルポリグルコシド、及び脂肪酸グルカミド、ゲルベアルコールベースのアルキルポリグルコシドが挙げられる。
【００６５】
両性界面活性剤（Amphoteric surfactant）
界面活性剤系は、アミンオキシドなどの両性界面活性剤を含み得る。好ましいアミンオキシドは、アルキルジメチルアミンオキシド又はアルキルアミドプロピルジメチルアミンオキシド、より好ましくはアルキルジメチルアミンオキシド、特にココジメチルアミンオキシドである。アミンオキシドは、直鎖又は中鎖分枝状アルキル部分を有し得る。
【００６６】
両性界面活性剤（Ampholytic Surfactant）
界面活性剤系は、両性界面活性剤を含み得る。両性界面活性剤の特定の非限定的な例としては、二級若しくは三級アミンの脂肪族誘導体、又は脂肪族基が直鎖若しくは分岐鎖であり得る複素環式第二級及び三級アミンの脂肪族誘導体が挙げられる。その脂肪族置換基の１つは、少なくとも約８個の炭素原子、例えば約８〜約１８個の炭素原子を含んでよく、少なくとも１つは、アニオン性水可溶化基、例えばカルボキシ、スルホン酸塩、硫酸塩を含む。両性界面活性剤の好適な例については、米国特許第３，９２９，６７８号の１９欄目、１８〜３５行を参照されたい。
【００６７】
双性イオン性界面活性剤
双性イオン性界面活性剤は当該技術分野において既知であり、一般的には、全体としては中性に荷電しているが、少なくとも１つの正に荷電した原子／基、及び少なくとも１つの負に荷電した原子／基を担持する界面活性剤を含む。双性イオン性界面活性剤の例としては、二級及び三級アミン誘導体、複素環式二級及び三級アミン誘導体、又は四級アンモニウム化合物、四級ホスホニウム化合物若しくは三級スルホニウム化合物の誘導体が挙げられる。双極イオン性界面活性剤類の例に関しては、米国特許第３，９２９，６７８号の第１９欄３８行目〜第２２欄４８行目を参照されたく、アルキルジメチルベタイン及びココジメチルアミドプロピルベタインを含むベタイン、Ｃ８〜Ｃ１８（例えば、Ｃ１２〜Ｃ１８）アミンオキシド、並びにＮ−アルキル−Ｎ，Ｎ−ジメチルアミノ−１−プロパンスルホネートなどのスルホ及びヒドロキシベタインが挙げられる（ここで、アルキル基は、Ｃ８〜Ｃ１８、特定の実施形態ではＣ１０〜Ｃ１４とすることができる）。本発明で使用するのに好ましい双性イオン性界面活性剤は、ココアミドプロピルベタインである。
【００６８】
カチオン性界面活性剤
カチオン性界面活性剤の例としては、最大で２６個の炭素原子特定物を有し得る四級アンモニウム界面活性剤が挙げられる。更なる例としては、ａ）米国特許第６，１３６，７６９号に記載されているアルコキシレート四級アンモニウム（ＡＱＡ）界面活性剤、ｂ）米国特許第６，００４，９２２号に記載されているジメチルヒドロキシエチル四級アンモニウム、ｃ）参照により本明細書に組み込まれる、国際公開第９８／３５００２号、同第９８／３５００３号、同第９８／３５００４号、同第９８／３５００５号、及び同第９８／３５００６号に記載されているポリアミンカチオン性界面活性剤、ｄ）参照により本明細書に組み込まれる、米国特許第４，２２８，０４２号、同第４，２３９，６６０号、同第４，２６０，５２９号、及び同第６，０２２，８４４，号に記載のカチオン性エステル界面活性剤、並びに、ｅ）参照により本明細書に組み込まれる、米国特許第６，２２１，８２５号及び国際公開第００／４７７０８号に記載されているアミノ界面活性剤、及び具体的にはアミドプロピルジメチルアミン（ＡＰＡ）が挙げられる。有用なカチオン性界面活性剤には、米国特許第４，２２２，９０５号（Ｃｏｃｋｒｅｌｌ，１９８０年９月１６日交付）、及び米国特許第４，２３９，６５９号（Ｍｕｒｐｈｙ，１９８０年１２月１６日交付）に開示されるものも含まれ、これらの両方の文献も、参照により本明細書に援用される。四級アンモニウム化合物は、布地柔軟剤などの布地増強組成物中に存在してもよく、正電荷を有する多原子イオンの構造ＮＲ４＋（Ｒはアルキル基又はアリール基）である四級アンモニウムカチオンを含む。
【００６９】
本発明の布地ケア組成物は、組成物の最大約３０重量％、あるいは約０．０１重量％〜約２０重量％、あるいは約０．１重量％〜約２０重量％のカチオン性界面活性剤を含有することができる。本発明の目的に対して、カチオン性界面活性剤には、布地ケア効果をもたらすことができるものが挙げられる。有用なカチオン性界面活性剤の非限定的な例として、脂肪族アミン、イミダゾリン四級物質及び四級アンモニウム界面活性剤が挙げられ、好ましくは、Ｎ，Ｎ−ビス（ステアロイル−オキシ−エチル）Ｎ，Ｎ−ジメチルアンモニウムクロリド、Ｎ，Ｎ−ビス（タロイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルサルフェート；１，２ジ（ステアロイル−オキシ）３トリメチルアンモニウムプロパンクロリド；ジカノーラジメチルアンモニウムクロリド、ジ（ハード）タロージメチルアンモニウムクロリド、ジカノーラジメチルアンモニウムメチルサルフェートなどのジアルキレンジメチルアンモニウム塩；１−メチル−１−ステアロイルアミドエチル−２−ステアロイルイミダゾリニウムメチルサルフェート；１−タロイルアミドエチル−２−タロイルイミダゾリン；Ｎ，Ｎ”−ジアルキルジエチレントリアミン；脂肪酸が、（水素添加）タロー脂肪酸、パーム脂肪酸、水素添加パーム脂肪酸、オレイン酸、菜種脂肪酸、水素添菜種脂肪酸である脂肪酸でエステル化されたＮ−（２−ヒドロキシエチル）−１，２−エチレンジアミン又はＮ−（２−ヒドロキシイソプロピル）−１，２−エチレンジアミンとグリコール酸との反応生成物；ポリグリセロールエステル（ＰＧＥ）、油状糖誘導体及びワックスエマルジョン並びに上記の混合物である。
【００７０】
上記に開示されている柔軟剤活性物質の組み合わせが、本明細書で使用するのに好適であることが理解されよう。
【００７１】
補助洗浄添加剤
本発明の洗浄組成物はまた、補助洗浄添加剤を含有してもよい。洗浄補助添加剤の正確な性質、及びこれの組み込み濃度は、洗浄組成物の物理形態、及びそれが使用される洗浄作業の正確な性質によって変化する。
【００７２】
補助洗浄添加剤は、ビルダー、構造化剤又は増粘剤、泥除去／再付着防止剤、ポリマー汚れ遊離剤、ポリマー分散剤、ポリマーグリース洗浄剤、酵素、酵素安定化系、漂白化合物、漂白剤、漂白活性剤、漂白触媒、増白剤、染料、色調剤、移染防止剤、キレート剤、抑泡剤、柔軟剤、及び香料からなる群から選択され得る。この補助洗浄添加剤の一覧は単に例示的なものであり、使用可能な補助洗浄添加剤の種類を限定するものではない。原則として、本発明では当該技術分野で既知の任意の補助洗浄添加剤を使用することができる。
【００７３】
ポリマー
当該組成物は１つ以上のポリマーを含んでよい。その全てが任意に改質されてもよい非限定的な例としては、国際公開第２０１６／０４１６７６号に記載される、ポリエチレンイミン、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、ポリカルボキシレート、又はアルコキシル化置換フェノール（ＡＳＰ）が挙げられる。ＡＳＰ分散剤の例としては、Ｃｌａｒｉａｎｔから入手可能なＨＯＳＴＡＰＡＬ  ＢＶ  ＣＯＮＣ  Ｓ１０００が挙げられるがこれに限定されない。
【００７４】
ポリアミンは、グリース、微粒子除去、又は汚れ除去のために使用され得る。多種多様なアミン及びポリアルキレンイミン（polyaklyeneimines）を様々な程度でアルコキシル化して疎水性又は親水性の洗浄を達成することができる。このような化合物としては、エトキシル化ポリエチレンイミン、エトキシル化ヘキサメチレンジアミン、及びこれらのサルフェート化体が挙げることができるが、これらに限定されない。こうしたポリマーの有用な例は、ＢＡＳＦから入手可能なＨＰ２０、又は以下の一般構造を有するポリマーである。
【００７５】
ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎは２０〜３０、ｘは３〜８）又はその硫酸化若しくはスルホン化した変異体。ポリプロポキシル化−ポリエトキシル化両親媒性ポリエチレンイミン誘導体もまた、より高いグリース除去及び乳化を達成するために含まれてよい。これらは、好ましくは内側ポリエチレンオキシドブロック及び外側ポリプロピレンオキシドブロックを有するアルコキシル化ポリアルキレンイミンを含んでいてもよい。洗剤組成物はまた、向上した飲料染み除去に有用な未変性ポリエチレンイミンを含有してもよい。様々な分子量のＰＥＩが、ＢＡＳＦ  Ｃｏｒｐｏｒａｔｉｏｎから商品名Ｌｕｐａｓｏｌ（登録商標）で市販されている。好適なＰＥＩの例としては、Ｌｕｐａｓｏｌ  ＦＧ（登録商標）、Ｌｕｐａｓｏｌ  Ｇ−３５（登録商標）が挙げられるが、これらに限定されない。
【００７６】
本発明の組成物は、ポリマー分散剤として有用なマレエート／アクリレートランダムコポリマー又はポリアクリレートホモポリマーなどの１つ以上のカルボキシレートポリマーを含み得る。ポリアクリレートから調製されるものなどのアルコキシル化ポリカルボキシレートもまた、泥分散性を提供するのに有用である。こうした材料は国際公開第９１／０８２８１号に記載されている。化学的に、これら材料は、７〜８つのアクリレート単位ごとに１つのエトキシ側鎖を有するポリアクリレートを含む。側鎖は、式−（ＣＨ２ＣＨ２Ｏ）ｍ（ＣＨ２）ｎＣＨ３［式中、ｍは、２〜３であり、ｎは、６〜１２である］のものである。側鎖は、ポリアクリレート「主鎖」にエステル又はエーテル結合され、「櫛形」ポリマー型構造を提供する。
【００７７】
好ましい両親媒性グラフトコポリマー（複数可）は、（ｉ）ポリエチレングリコール主鎖と、（ｉｉ）ポリ酢酸ビニル、ポリビニルアルコール及びこれらの混合物から選択される少なくとも１つのペンダント部分と、を含む。両親媒性グラフトコポリマーの例は、ＢＡＳＦから供給されるＳｏｋａｌａｎ  ＨＰ２２である。
【００７８】
国際公開第２０１６／０４１６７６号に記載のアルコキシル化置換フェノールもまた、泥分散性を提供するポリマーの好適な例である。Ｃｌａｒｉａｎｔから入手可能なＨｏｓｔａｐａｌ  ＢＶ  Ｃｏｎｃ  Ｓ１０００，は、ＡＳＰ分散剤の非限定的な一例である。
【００７９】
好ましくは、本発明の組成物は、１種以上の汚れ遊離ポリマーを含む。好適な汚れ遊離ポリマーは、Ｒｈｏｄｉａによって供給されているＲｅｐｅｌ−ｏ−ｔｅｘ  ＳＦ、ＳＦ−２及びＳＲＰ６を含むＲｅｐｅｌ−ｏ−ｔｅｘポリマーなどのポリエステル汚れ遊離ポリマーである。他の好適な汚れ遊離ポリマーとしては、Ｃｌａｒｉａｎｔより供給されるＴｅｘｃａｒｅ  ＳＲＡ１００、ＳＲＡ３００、ＳＲＮ１００、ＳＲＮ１７０、ＳＲＮ２４０、ＳＲＮ２６０、ＳＲＮ３００、及びＳＲＮ３２５を含むＴｅｘｃａｒｅポリマーなどが挙げられる。他の好適な汚れ遊離ポリマーは、Ｓａｓｏｌより供給される、Ｍａｒｌｏｑｕｅｓｔ  ＳＬ、ＨＳＣＢ、Ｌ２３５Ｍ、Ｂ、Ｇ８２を含むＭａｒｌｏｑｕｅｓｔポリマーである。他の好適な汚れ遊離ポリマーとしては、米国特許第９，３６５，８０６号に記載されるメチルキャップされたエトキシル化プロポキシル化汚れ遊離ポリマーが挙げられる。
【００８０】
好ましくは、本発明の組成物は、特にカルボキシメチルセルロース、メチルカルボキシメチルセルロース、スルホエチルセルロース、メチルヒドロキシエチルセルロース、カルボキシメチルキシログルカン、カルボキシメチルキシラン、スルホエチルガラクトマンナン、カルボキシメチルガラクトマンナン、ヒドロキシエチルガラクトマンナン、スルホエチルデンプン、カルボキシメチルデンプン、及びそれらの混合物から選択され得る１つ以上の多糖を含む。本発明に用いるのに好適な他の多糖はグルカンである。好ましいグルカンは、グリコシド結合（すなわち、グルコシド結合）によって一体に結合されたグルコースモノマー単位を含むポリマーであり、グリコシド結合の少なくとも約５０％はα−１，３−グリコシド結合である、ポリα−１，３−グルカンである。ポリα−１，３−グルカンは多糖類の一種である。ポリα−１，３−グルカンは、例えばその全てが参照により本明細書に組み込まれる米国特許第７，０００，０００号、並びに米国特許出願公開第２０１３／０２４４２８８号及び同第２０１３／０２４４２８７号に記載されるものなどの１つ以上のグルコシルトランスフェラーゼ酵素を使用して、スクロースから酵素的に産生することができる。
【００８１】
本発明の組成物に使用するための他の好適な多糖類は、カチオン性多糖類である。カチオン性多糖類の例としては、カチオン性グアーガム誘導体、四級窒素含有セルロースエーテル、及びエーテル化セルロースと、グアーと、デンプンとのコポリマーである合成ポリマーが挙げられる。使用される場合、本明細書におけるカチオン性ポリマーは、組成物に可溶性であるか、又は上述のカチオン性ポリマー、並びにアニオン性、両性及び／又は双極性界面活性剤成分によって形成される組成物中の複合コアセルベート相に可溶性である。好適なカチオン性ポリマーは、米国特許第３，９６２，４１８号、同第３，９５８，５８１号、及び米国特許出願公開第２００７／０２０７１０９（Ａ１）号に記載されている。
【００８２】
ポリマーは、他の洗剤原材料の付着助剤としても機能し得る。好ましい付着助剤は、カチオン性及び非イオン性ポリマーからなる群から選択される。好適なポリマーとしては、カチオンデンプン、カチオン性ヒドロキシエチルセルロース、ポリビニルホルムアルデヒド、ローカストビーンガム、マンナン、キシログルカン、タマリンドガム、ポリエチレンテレフタレート、並びに任意にアクリル酸及びアクリルアミドを含む群から選択される１つ以上のモノマーと共にジメチルアミノエチルメタクリレートを含有するポリマーが挙げられる。
【００８３】
追加のアミン
ポリアミンは、グリース除去を改善することが知られている。性能のために好ましい環状及び直鎖アミンは、１，３−ビス（メチルアミン）−シクロヘキサン、４−メチルシクロヘキサン−１，３−ジアミン（ＢＡＳＦにより供給されるＢａｘｘｏｄｕｒ  ＥＣＸ  ２１０）、１，３プロパンジアミン、１，６ヘキサンジアミン、１，３ペンタンジアミン（Ｉｎｖｉｓｔａにより供給されるＤｙｔｅｋ  ＥＰ）、２−メチル１，５ペンタンジアミン（Ｉｎｖｉｓｔａにより供給されるＤｙｔｅｋ  Ａ）である。米国特許第６７１００２３号は、少なくとも３つのプロトン化可能な（protonable）アミンを含有する上記のジアミン及びポリアミンを含有する食器手洗い用組成物を開示している。本発明のポリアミンは、洗浄ｐＨよりも高い少なくとも１つのｐＫａを有し、少なくとも２つのｐｋａは約６を超え、洗浄ｐＨよりも低い。好ましいポリアミンは、Ｄｏｗ、ＢＡＳＦ、及びＨｕｎｔｍａｎから市販されるテトラエチレンペンタミン、ヘキサエチルヘキサミン、ヘプタエチルヘプタミン、オクタエチルオクタミン、ノネエチルノナミン、及びこれらの混合物からなる群から選択される。特に好ましいポリエーテルアミンは、米国特許第９７５２１０１号、同第９４８７７３９号、同第９６３１１６３号に記載されるように親油性変性されている。
【００８４】
移染防止剤（ＤＴＩ）
当該組成物は、１種以上の移染防止剤を含んでよい。本発明の一実施形態では、驚くべきことに、特定の染料に加えて、ポリマー移染防止剤を含む組成物は、性能が向上することを本発明者らは発見した。これは、驚くべきことに、ポリマー移染防止剤が染料の付着を防ぐためである。好適な移染防止剤としては、ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物が挙げられるが、これらに限らない。好適な例としては、Ａｓｈｌａｎｄ  Ａｑｕａｌｏｎ製のＰＶＰ−Ｋ１５、ＰＶＰ−Ｋ３０、ＣｈｒｏｍａＢｏｎｄ  Ｓ−４００、ＣｈｒｏｍａＢｏｎｄ  Ｓ−４０３Ｅ、及びＣｈｒｏｍａｂｏｎｄ  Ｓ−１００、並びにＢＡＳＦ製のＳｏｋａｌａｎ  ＨＰ１６５、Ｓｏｋａｌａｎ  ＨＰ５０、Ｓｏｋａｌａｎ  ＨＰ５３、Ｓｏｋａｌａｎ  ＨＰ５９、Ｓｏｋａｌａｎ（登録商標）ＨＰ５６Ｋ、Ｓｏｋａｌａｎ（登録商標）ＨＰ６６が挙げられる。他の好適なＤＴＩは、国際公開第２０１２／００４１３４号に記載されているとおりである。移染防止剤は、対象組成物中に存在する場合、組成物の約０．０００１重量％〜約１０重量％、約０．０１重量％〜約５重量％、又は更には約０．１重量％〜約３重量％の濃度で存在してよい。
【００８５】
酵素
布地の洗濯の際に遊離する染料移行を防止するため、並びに布地を修復するための、タンパク質系、炭水化物系、又はトリグリセリド系のしみの基質からの除去を含む多様な目的のために、酵素を本洗浄組成物に含めてもよい。好適な酵素には、植物、動物、細菌、真菌、及び酵母起源質のような好適な起源物質からのプロテアーゼ、アミラーゼ、リパーゼ、カルボヒドラーゼ、セルラーゼ、オキシダーゼ、ペルオキシダーゼ、マンナナーゼ及びこれらの混合物が含まれる。本明細書に記載される洗浄組成物に用いられ得る他の酵素としては、ヘミセルラーゼ、ペルオキシダーゼ、プロテアーゼ、セルラーゼ、エンドグルカナーゼ、キシラナーゼ、リパーゼ、ホスホリパーゼ、アミラーゼ、グルコアミラーゼ、キシラナーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルナーゼ、アラビノシダーゼ、ヒアルロニダーゼ、コンドロイチナーゼ、ラッカーゼ、若しくはこれらの混合物、エステラーゼ、マンナナーゼ、ペクチン酸リアーゼ、及び／又はこれらの混合物が挙げられる。他の好適な酵素としては、ヌクレアーゼ酵素が挙げられる。当該組成物は、ヌクレアーゼ酵素を含み得る。ヌクレアーゼ酵素は、核酸のヌクレオチドサブユニット間のホスホジエステル結合を切断することができる酵素である。本明細書におけるヌクレアーゼ酵素は、好ましくは、デオキシリボヌクレアーゼ若しくはリボヌクレアーゼ酵素又はこれらの機能的断片である。酵素の選択は、ｐＨ活性及び／又は安定性の最適条件、熱安定性、及び活性洗剤、ビルダーなどに対する安定性のような要因に影響される。
【００８６】
酵素は、洗浄組成物の約０．０００１重量％〜約５重量％の活性酵素濃度で洗浄組成物に組み込むことができる。酵素は、別個の単一成分として、又は２つ以上の酵素の混合物として、加えることができる。
【００８７】
他の実施形態では、リパーゼが用いられ得る。リパーゼは、Ｎｏｖｏｚｙｍｅｓ（Ｄｅｎｍａｒｋ）から商品名Ｌｉｐｅｘで購入することができる。アミラーゼ（Ｎａｔａｌａｓｅ（登録商標）、Ｓｔａｉｎｚｙｍｅ（登録商標）、Ｓｔａｉｎｚｙｍｅ  Ｐｌｕｓ（登録商標））は、Ｎｏｖｏｚｙｍｅｓ（Ｂａｇｓｖａｅｒｄ，Ｄｅｎｍａｒｋ）により供給され得る。プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆ．，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標）、Ｓａｖｉｎａｓｅ（登録商標））により供給され得る。他の好ましい酵素としては、好ましくは商品名Ｐｅｃｔａｗａｓｈ（登録商標）、Ｘｐｅｃｔ（登録商標）、Ｐｅｃｔａｗａｙ（登録商標）で販売されるペクチン酸リアーゼ、並びに商品名Ｍａｎｎａｗａｙ（登録商標）（全てＮｏｖｏｚｙｍｅｓ  Ａ／Ｓ（Ｂａｇｓｖａｅｒｄ，Ｄｅｎｍａｒｋ）製）、及びＰｕｒａｂｒｉｔｅ（登録商標）（Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ））で販売されているマンナナーゼが挙げられる。酵素材料の範囲、及びそれらの合成洗浄組成物への組み込みのための手段は、国際公開第９３０７２６３（Ａ）号、同第９３０７２６０（Ａ）号、同第８９０８６９４（Ａ）号、米国特許第３，５５３，１３９号、同第４，１０１，４５７号、及び同第４，５０７，２１９号に開示されている。液体洗浄組成物に有用な酵素材料、及びこうした組成物へのそれらの組み込みは、米国特許第４，２６１，８６８号に開示される。
【００８８】
酵素安定化系
本明細書に記載されている酵素含有組成物は、任意に、組成物の約０．００１重量％〜約１０重量％、いくつかの例では、約０．００５重量％〜約８重量％、及び別の例では、約０．０１重量％〜約６重量％の酵素安定化系を含んでもよい。酵素安定化系は、洗浄性酵素と適合性のある任意の安定化系であってよい。そのような系は、他の配合物活性物質によって本質的に提供されてもよく、又は洗剤に使用可能な酵素の配合者若しくは製造業者によって別個に添加されてもよい。かかる安定化系は、例えば、カルシウムイオン、ホウ酸、プロピレングリコール、短鎖カルボン酸、ボロン酸、塩素漂白剤捕捉剤、及びこれらの混合物を含むことができ、洗浄組成物のタイプ及び物理的形態に応じて異なる安定化問題に対処するように設計されている。ホウ酸塩系安定化剤の再検討には、米国特許第４，５３７，７０６号を参照されたい。
【００８９】
キレート剤。
好ましくは、当該組成物は、キレート剤及び／又は結晶成長阻害物質を含む。好適な分子としては、銅、鉄、及び／又はマンガンキレート剤並びにこれらの混合物が挙げられる。好適な分子としては、アミノカルボキシレート、アミノホスホネート、サクシネート、これらの塩、及びこれらの混合物が挙げられる。本明細書に用いるのに好適なキレート剤の非限定的な例としては、エチレンジアミンテトラアセテート、Ｎ−（ヒドロキシエチル）エチレンジアミントリアセテート、ニトリロトリアセテート、エチレンジアミンテトラプロプリオネート、トリエチレンテトラアミンヘキサアセテート、ジエチレントリアミンペンタアセテート、エタノールジグリシン、エチレンジアミンテトラキス（メチレンホスホネート）、ジエチレントリアミンペンタ（メチレンホスホン酸）（ＤＴＰＭＰ）、エチレンジアミンジスクシネート（ＥＤＤＳ）、ヒドロキシエタンジメチレンホスホン酸（ＨＥＤＰ）、メチルグリシン二酢酸（ＭＧＤＡ）、ジエチレントリアミン五酢酸（ＤＴＰＡ）、及び１，２−ジイドロキシベンゼン（diydroxybenzene）−３，５−ジスルホン酸（タイロン）、これらの塩、並びにこれらの混合物が挙げられる。タイロン及び他のスルホン化カテコールもまた、有効な重金属キレート剤として用いられ得る。本発明で用いるキレート剤の他の非限定的な例は、米国特許第７４４５６４４号、同第７５８５３７６号、及び米国特許出願公開第２００９／０１７６６８４（Ａ１）号で見出される。本明細書に用いるのに好適な他のキレート剤は、市販のＤＥＱＵＥＳＴシリーズ、並びにＭｏｎｓａｎｔｏ製、ＤｕＰｏｎｔ製、及びＮａｌｃｏ，Ｉｎｃ．製のキレート剤である。
【００９０】
増白剤
光学増白剤若しくは他の増白剤、又は白化剤は、組成物の約０．０１重量％〜約１．２重量％の濃度で本明細書に記載されている洗浄組成物に組み込むことができる。本明細書で使用できる市販の光学増白剤は、スチルベン、ピラゾリン、クマリン、カルボン酸、メチンシアニン、ジベンゾチフェン（dibenzothiphene）−５，５−ジオキシド、アゾール、５及び６員複素環、並びに他の様々な剤の誘導体が挙げられるが必ずしもこれらに限定されない副群に分類することができる。こうした増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」（Ｍ．Ｚａｈｒａｄｎｉｋ，Ｊｏｈｎ  Ｗｉｌｅｙ＆Ｓｏｎｓ，Ｎｅｗ  Ｙｏｒｋ（１９８２））に開示されている。本発明の組成物で有用であり得る光学増白剤の具体的な非限定的な例は、米国特許第４，７９０，８５６号、及び同第３，６４６，０１５号で特定されるものである。非常に好ましい増白剤としては、４，４’−ビス｛［４−アニリノ−６−［ビス（２−ヒドロキシエチル）アミノ−ｓ−トリアジン−２−イル］−アミノ｝−２，２’−スチルベンジスルホン酸二ナトリウム、４，４’−ビス｛［４−アニリノ−６−モルホリノ−ｓ−トリアジン−２−イル］−アミノ｝−２，２’−スチルベンジスルホネート、４，４”−ビス［（４，６ジ−アニリノ−ｓ−トリアジン−２−イル）−アミノ］−２，２’−スチルベンジスルホン酸二ナトリウム、及び４，４’−ビス−（２−スルホスチリル）ビフェニル二ナトリウムが挙げられる。
【００９１】
漂白剤。
当該組成物は１つ以上の漂白剤を含むことが好ましい場合がある。好適な漂白剤としては、光漂白剤、過酸化水素、過酸化水素源、予形成過酸、及びこれらの混合物が挙げられる。
【００９２】
（１）光漂白剤、例えば、スルホン化亜鉛フタロシアニン、スルホン化アルミニウムフタロシアニン、キサンテン染料、及びこれらの混合物。
（２）予形成過酸：好適な予形成過酸としては、予形成ペルオキシ酸又はその塩、典型的には過カルボン酸及び塩、過炭酸及び塩、過イミド酸及び塩、ペルオキシ一硫酸及び塩、例えばＯｘｏｎｅ（登録商標）、並びにこれらの混合物からなる群から選択される化合物が挙げられるが、これらに限らない。好適な例としては、ペルオキシカルボン酸若しくはその塩、又はペルオキシスルホン酸若しくはその塩が挙げられる。特に好ましいペルオキシ酸は、フタルイミド−ペルオキシ−アルカン酸、特に、ε−フタルイミドペルオキシヘキサン酸（ＰＡＰ）である。好ましくは、ペルオキシ酸又はその塩は、３０℃〜６０℃の範囲の融点を有する。
（３）過酸化水素源、例えば、過ホウ酸塩（通常、一水和物又は四水和物）、過炭酸塩、過硫酸塩、過リン酸塩、過ケイ酸塩及びこれらの混合物のナトリウム塩などのアルカリ金属塩を含む、無機過水和物の塩。
【００９３】
布帛シェーディング染料
布帛シェーディング染料（色調剤、青味剤又は白化剤と呼ばれることもある）は、典型的には、青又は紫の色合いを布帛にもたらす。こうした染料（複数可）は当該技術分野で周知されており、単独又は組み合わせのいずれかで用いられて、特定の色相の濃淡を作り出す、及び／又は様々な種類の布地に濃淡をつけることができる。布帛シェーディング染料は、アクリジン、アントラキノン（多環式キノンを含む）、アジン、アゾ（例えば、モノアゾ、ジスアゾ、トリスアゾ、テトラキスアゾ、ポリアゾ）、ベンゾジフラン、ベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ、ニトロソ、オキサジン、フタロシアニン、ピラゾール、スチルベン、スチリル、トリアリールメタン、トリフェニルメタン、キサンテン及びこれらの混合物を含むがこれらに限定されない、当該技術分野において既知の任意の化学分類の染料から選択することができる。本発明の洗濯ケア組成物中に存在する補助布帛シェーディング染料の量は、典型的には、全洗浄組成物の０．０００１〜０．０５重量％、好ましくは０．０００１〜０．００５重量％である。洗浄液に基づいて、布帛シェーディング染料の濃度は、典型的には１ｐｐｂ〜５ｐｐｍ、好ましくは１０ｐｐｂ〜５００ｐｐｂである。
【００９４】
好適な布帛シェーディング染料としては、小分子染料、ポリマー染料、及び染料−クレイ共役体が挙げられる。好ましい布帛シェーディング染料は、小分子染料及びポリマー染料から選択される。好適な小分子染料を、カラーインデックス（Ｃ．Ｉ．，Ｓｏｃｉｅｔｙ  ｏｆ  Ｄｙｅｒｓ  ａｎｄ  Ｃｏｌｏｕｒｉｓｔｓ，（Ｂｒａｄｆｏｒｄ，ＵＫ））分類の酸性染料、直接染料、塩基性染料、反応染料、溶剤染料、又は分散染料に該当する染料からなる群から選択することができる。
【００９５】
好適なポリマー染料としては、共有結合した（共役したと称することもある）色原体（染料ポリマー共役体としても知られるもの）を含有するポリマー、例えば、ポリマーの主鎖中に共重合した色原体モノマーを有するポリマー及びこれらの混合物からなる群から選択される染料が挙げられる。好ましいポリマー染料は、アルコキシル化トリフェニルメタンポリマー着色剤、アルコキシル化炭素環アゾ着色剤、及びアルコキシル化チオフェンポリマー着色剤をはじめとするアルコキシル化複素環アゾ着色剤、並びにそれらの混合物などの任意に置換されたアルコキシル化染料を含み、Ｌｉｑｕｉｔｉｎｔ（登録商標）（Ｍｉｌｌｉｋｅｎ，Ｓｐａｒｔａｎｂｕｒｇ，（Ｓｏｕｔｈ  Ｃａｒｏｌｉｎａ，ＵＳＡ））の名称で販売の布地染色性着色剤（fabric-substanive colorants）などがある。
【００９６】
好適な染料クレイ共役体としては、少なくとも１つのカチオン染料／塩基性染料及びスメクタイトクレイを含む群から選択される染料クレイ共役体が挙げられ、好ましいクレイは、モンモリロナイトクレイ、ヘクトライトクレイ、サポナイトクレイ、及びそれらの混合物からなる群から選択されるものでよい。
【００９７】
顔料は当該技術分野で周知されており、これも本明細書の洗濯ケア組成物に使用することができる。好適な顔料としては、Ｃ．Ｉ  Ｐｉｇｍｅｎｔ  Ｂｌｕｅｓ１５〜２０、特に１５及び／又は１６、Ｃ．Ｉ．Ｐｉｇｍｅｎｔ  Ｂｌｕｅ２９、Ｃ．Ｉ．Ｐｉｇｍｅｎｔ  Ｖｉｏｌｅｔ１５、Ｍｏｎａｓｔｒａｌ  Ｂｌｕｅ、並びにこれらの混合物が挙げられる。
【００９８】
ビルダー
本発明の洗浄組成物は、任意に、ビルダーを含んでもよい。
【００９９】
アルミノシリケート及びシリケートから選択されるビルダーは、洗浄水中の鉱物硬度の制御を助け、又は表面からの微粒子汚れの除去を助ける。好適なビルダーは、リン酸塩、ポリリン酸塩、特にそのナトリウム塩、炭酸塩、重炭酸塩、セスキ炭酸塩、及び炭酸ナトリウム又はセスキ炭酸塩以外の炭酸塩鉱物；有機モノ−、ジ−、トリ−、及びテトラカルボキシレート、特に、酸、ナトリウム、カリウム、又はアルカノールアンモニウム塩形態の水溶性非界面活性剤カルボキシレート、並びに脂肪族及び芳香族の種類を含むオリゴマー又は水溶性低分子量ポリマーカルボキシレート、並びにフィチン酸からなる群から選択され得る。これらは、例えば、ｐＨ緩衝化の目的のためのホウ酸塩によって、又は硫酸塩、とりわけ硫酸ナトリウム、及び安定な界面活性剤及び／又はビルダー含有洗浄組成物の工学に重要となり得る任意の他の充填剤又はキャリアによって補完されてもよい。
【０１００】
ｐＨ緩衝系
本発明の組成物はまた、ｐＨ緩衝系を含んでもよい。本明細書の洗浄組成物は、水性洗浄操作における使用中に、洗浄水のｐＨが約６．０〜約１２、いくつかの実施例では約７．０〜１１となるように配合することができる。推奨される使用濃度でｐＨを制御する技法としては、緩衝剤、アルカリ、又は酸の使用が挙げられ、これらは当業者には公知である。これらとしては、炭酸ナトリウム、クエン酸、又はクエン酸ナトリウム、モノエタノールアミン又は他のアミン、ホウ酸又はホウ酸塩、及び当該技術分野において既知の他のｐＨ調整化合物の使用が挙げられるがこれらに限定されない。本明細書の洗浄組成物は、クエン酸の放出を遅延させることにより、動的な洗浄中ｐＨプロファイルを含むことができる。
【０１０１】
構造化剤／増粘剤
構造化液体は、内部的に構造化することによって、一次成分（例えば界面活性剤材料）によってその構造を形成することも、及び／又は、二次成分（例えば、ポリマー、クレイ、及び／又はケイ酸塩材料）を用いて、三次元マトリックス構造をもたらすことによって、外部的に構造化することもできる。本発明の組成物は、組成物の約０．０１重量％〜約５重量％の構造化剤、及びいくつかの例では、組成物の約０．１重量％〜約２．０重量％の構造化剤を含み得る。構造化剤は、ジグリセリド及びトリグリセリド、ジステアリン酸エチレングリコール、微結晶セルロース、セルロース系物質、マイクロファイバーセルロース、バイオポリマー、キサンタンガム、ジェランガム、及びこれらの混合物からなる群から選択され得る。いくつかの実施例において、好適な構造化剤としては、水素添加ヒマシ油、及びその非エトキシル化誘導体が挙げられる。他の好適な構造化剤は、米国特許第６，８５５，６８０号に開示されている。このような構造化剤は、ある範囲のアスペクト比を有する糸様構造系を有する。更なる好適な構造化剤、及びそれらの構造化剤を作製するプロセスは、国際公開第２０１０／０３４７３６号に記載されている。
【０１０２】
抑泡剤
泡の形成を低減又は抑制するための化合物を、本明細書に記載の洗浄組成物に組み込むことができる。抑泡制は、米国特許第４，４８９，４５５号及び同第４，４８９，５７４号に記載されているようないわゆる「高濃度洗浄プロセス」において、そしてフロントローディング方式の洗濯機において、特に重要である可能性がある。
【０１０３】
広範な材料を抑泡剤として使用してよく、抑泡剤は当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第３版、第７巻、４３０〜４４７頁（Ｊｏｈｎ  Ｗｉｌｅｙ  ＆  Ｓｏｎｓ，Ｉｎｃ．、１９７９年）を参照されたい。抑泡剤の例としては、モノカルボン脂肪酸及びその中の可溶性塩、パラフィンなどの高分子量炭化水素、脂肪酸エステル（例えば脂肪酸トリグリセリド）、一価アルコールの脂肪酸エステル、脂肪族Ｃ１８〜Ｃ４０ケトン（例えばステアロン（stearone））、Ｎ−アルキル化アミノトリアジン、好ましくは約１００℃未満の融点を有するろう質炭化水素、シリコーン抑泡剤、及び二級アルコールが挙げられる。抑泡剤は、米国特許第２，９５４，３４７号、同第４，０７５，１１８号；同第４，２６５，７７９号；同第４，２６５，７７９号；同第３，４５５，８３９号；同第３，９３３，６７２号；同第４，６５２，３９２号；同第４，９７８，４７１号；同第４，９８３，３１６号；同第５，２８８，４３１号；同第４，６３９，４８９号；同第４，７４９，７４０号、及び同第４，７９８，６７９号に記載されている。
【０１０４】
本明細書の洗浄組成物は、組成物の０重量％〜約１０重量％の抑泡剤を含んでもよい。抑泡剤として利用する場合、モノカルボキシル脂肪酸及びその塩は、洗浄組成物の最大約５重量％、及び一部の例では、洗浄組成物の約０．５重量％〜約３重量％の量で存在することができる。シリコーン抑泡剤は、最大で洗浄組成物の約２．０重量％の量で使用され得るが、より多い量を使用することもできる。モノステアリルホスフェート抑泡剤は、洗浄組成物の約０．１重量％〜約２重量％の範囲の量で利用することができる。炭化水素抑泡剤は、洗浄組成物の約０．０１重量％〜約５．０重量の範囲の量で利用することができるが、より多い量を使用してもよい。アルコール抑泡剤は、洗浄組成物の約０．２重量％〜約３重量％で使用することができる。
【０１０５】
増泡剤
高い起泡性が望まれる場合、Ｃ１０〜Ｃ１６アルカノールアミドなどのこうした増泡剤を、洗浄組成物の約１重量％〜約１０重量％で洗浄組成物に組み込むことができる。いくつかの例としては、Ｃ１０〜Ｃ１４モノエタノール及びジエタノールアミドが挙げられる。所望の場合、更なる泡をもたらして、グリース除去性能を高めるために、ＭｇＣｌ２、ＭｇＳＯ４、ＣａＣｌ２、ＣａＳＯ４などの水溶性マグネシウム及び／又はカルシウム塩を、洗浄組成物の約０．１重量％〜約２重量％の濃度で加えてもよい。
【０１０６】
充填剤及びキャリア
本明細書に記載されている洗浄組成物中に、充填剤及びキャリアを使用してもよい。本明細書で使用するとき、「充填剤」及び「キャリア」という用語は、同じ意味を有し、互換的に使用することができる。液体洗浄組成物、及び液体成分を含む他の形態の洗浄組成物（液体含有単位用量の洗浄組成物など）は、水及び他の溶媒を充填剤又はキャリアとして含有してもよい。メタノール、エタノール、プロパノール、イソプロパノール、及びフェノキシエタノールによって例示される低分子量の一級又は二級アルコールが好適である。いくつかの例では、一価アルコールは、界面活性剤を可溶化するために用いられてもよく、並びに２〜約６個の炭素原子及び２〜約６個のヒドロキシ基を含有するものなどのポリオール（例えば、１，２−プロパンジオール、１，３−プロパンジオール、２，３−ブタンジオール、エチレングリコール、及びグリセリンが用いられてもよい）。アミン含有溶媒もまた使用してよい。
【０１０７】
使用方法
本発明は、布地を白化するための方法を含む。消費者への販売に好適であるコンパクトな流体洗剤組成物は、洗濯前処理用途、洗濯洗浄用途、及びホームケア用途での使用に好適である。こうした方法としては、洗剤組成物をニート形態で、又は洗浄液中で希釈して、汚れていても汚れていなくてもよい布地の少なくとも一部分と接触させ、次いで任意に布地をすすぐ工程が挙げられるが、これに限定されない。任意によるすすぎ工程の前に、布地材料を洗浄工程に供してもよい。機械洗濯の方法は、本発明による有効量の機械洗濯洗剤組成物を溶解又は分散した洗濯機中で汚れた洗濯物を水性洗浄溶液で処理することを含み得る。洗剤組成物の「有効量」とは、約５Ｌ〜約６５Ｌの体積の洗浄溶液中に溶解又は分散された約２０ｇ〜約３００ｇの製品を意味する。水温は、約５〜約１００℃の範囲であってもよい。水の汚れた材料（例えば、布地）に対する比は、約１：１〜約３０：１であってよい。本発明の組成物は、溶液中約５００ｐｐｍ〜約１５，０００ｐｐｍの濃度で使用され得る。布地洗濯組成物の文脈では、使用濃度は、汚れ及び染みの種類及び激しさだけでなく、洗浄水の温度、洗浄水の容量、及び洗濯機の種類（例えば、上側投入式、前側投入式、垂直軸型日本式自動洗濯機）に応じても変化し得る。
【０１０８】
本明細書の洗剤組成物は、低下した洗浄温度で布地を洗濯するために使用され得る。布地を洗濯するこれらの方法は、洗濯洗剤組成物を水に送達して洗浄液を形成し、洗濯する布地を上記の洗浄液に加える工程を含み、ここで洗浄液は、約０℃〜約２０℃、又は約０℃〜約１５℃、又は約０℃〜約９℃の温度を有する。洗濯洗剤組成物を水と接触させる前、又は後、又はそれと同時に、布地を水に接触させてもよい。別の方法としては、洗剤組成物を含浸させた不織布基材を汚れた材料と接触させることを含む。本明細書で使用するとき、「不織布基材」は、適した坪量、キャリパー（厚み）、吸収性、及び強度特性を有する任意の従来式の不織布シート又はウェブを含み得る。好適な市販の不織布基材の非限定的な例としては、ＤｕＰｏｎｔより商品名ＳＯＮＴＡＲＡ（登録商標）及びＪａｍｅｓ  Ｒｉｖｅｒ  Ｃｏｒｐより商品名ＰＯＬＹ  ＷＥＢ（登録商標）で市販されているものが挙げられる。
【０１０９】
手洗浄／浸漬方法、及び手洗浄と半自動洗浄機との組み合わせもまた含まれる。
【０１１０】
組成物のパッケージング
本明細書に記載の洗浄組成物は、紙、板紙、プラスチック材料、及び任意の好適な積層体から製造されるものを含む任意の好適な容器中に包装することができる。任意によるパッケージングの種類は欧州出願第９４９２１５０５．７号に記載されている。
【０１１１】
多区画パウチ
本明細書に記載される洗浄組成物は、多区画洗浄組成物として包装することもできる。
【０１１２】
他の補助剤成分
多種多様なその他の成分が本明細書の洗浄組成物中で使用されてもよく、その他の成分としては、例えば、他の活性成分、キャリア、ヒドロトロープ、加工助剤、染料又は顔料、液体配合物用溶媒、固体又は他の液体充填剤、エリトロシン、コロイド状（colliodal）シリカ、ろう、プロバイオティクス、サーファクチン（surfactin）、アミノセルロース系ポリマー、リシノール酸亜鉛、香料マイクロカプセル、ラムノリピド（rhamnolipds）、ソホロリピッド、グリコペプチド、メチルエステルエトキシレート、スルホン化エストリド、開裂性界面活性剤、バイオポリマー、シリコーン、変性シリコーン、アミノシリコーン、付着助剤、ヒドロトロープ（特にクメンスルホン酸塩、トルエンスルホン酸塩、キシレンスルホン酸塩、及びナファレン（naphalene）塩）、ＰＶＡ粒子封入染料又は香料、真珠光沢剤、発泡剤、色調変更系、シリコーンポリウレタン、乳白剤、錠剤崩壊剤、バイオマス充填剤、高速乾燥シリコーン、グリコールジステアレート、デンプン香料封入物、炭化水素油を含む乳化油、ポリオレフィン、並びに脂肪酸エステル、ビスフェノール抗酸化剤、微細繊維セルロース構造化剤、プロ香料、スチレン／アクリレートポリマー、トリアジン、石鹸、スーパーオキシドジスムターゼ、ベンゾフェノンプロテアーゼ阻害剤、官能化ＴｉＯ２、ジブチルホスフェート、シリカ香料カプセル、並びに他の補助成分、コリンオキシダーゼ、トリアリールメタンブルー及びバイオレット塩基性染料、メチンブルー及びバイオレット塩基性染料、アントラキノンブルー及びバイオレット塩基性染料、アゾ染料ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８、オキサジン染料、ベーシックブルー３、ベーシックブルー７５、ベーシックブルー９５、ベーシックブルー１２２、ベーシックブルー１２４、ベーシックブルー１４１、ナイルブルーＡ及びキサンテン染料ベーシックバイオレット１０、アルコキシル化トリフェニルメタンポリマー着色剤、アルコキシル化チオペン（thiopene）ポリマー着色剤、チアゾリウム染料、雲母、二酸化チタンコーティング雲母、オキシ塩化ビスマス、並びに他の活性物質が挙げられる。
【０１１３】
抗酸化剤：当該組成物は、任意に、当該組成物中に存在する抗酸化剤を約０．００１〜約２重量％含有していてよい。好ましくは、抗酸化剤は、０．０１〜０．０８重量％の範囲の濃度で存在する。抗酸化剤の混合物を使用してもよい。
【０１１４】
本発明で使用される抗酸化剤の１部類は、アルキル化フェノールである。ヒンダードフェノール化合物は、この式を有するアルキル化フェノールの好ましい種類である。この種の好ましいヒンダードフェノール化合物は、３，５−ジ−ｔｅｒｔ−ブチル−４−ヒドロキシトルエン（ＢＨＴ）である。
【０１１５】
更に、組成物に使用される抗酸化剤は、α−、β−、γ−、δ−−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びこれらの塩、並びにこれらの混合物からなる群から選択され得る。
【０１１６】
本明細書に記載の洗浄組成物はまた、水溶性ビタミン及びその誘導体、水溶性アミノ酸並びにその塩及び／又は誘導体、水不溶性アミノ酸粘度調整剤などのビタミン及びアミノ酸、染料、不揮発性溶媒又は希釈剤（水溶性及び非水溶性）、真珠光沢助剤、殺シラミ剤（pediculocide）、ｐＨ調整剤、防腐剤、皮膚活性剤、日焼け止め、ＵＶ吸収剤、ナイアシンアミド、カフェイン、並びにミノキシジルを含有し得る。
【０１１７】
本発明の洗浄組成物は、Ｃ．Ｉ．名を有するような水溶性成分を含め、ニトロソ、モノアゾ、ジスアゾ、カロテノイド、トリフェニルメタン、トリアリールメタン、キサンテン、キノリン、オキサジン、アジン、アントラキノン、インジゴイド、チオンインジゴイド、キナクリドン、フタロシアニン（phthalocianine）、植物着色料、及び天然着色料等の顔料材も含んでよい。
【０１１８】
本発明の洗浄組成物はまた、抗菌剤を含有してもよい。カチオン性活性成分としては、ｎ−アルキルジメチルベンジルアンモニウムクロリド、アルキルジメチルエチルベンジルアンモニウムクロリド、ジアルキルジメチル四級アンモニウム化合物、例えば、ジデシルジメチルアンモニウムクロリド、Ｎ，Ｎ−ジデシル−Ｎメチル−ポリ（オキシエチル）アンモニウムプロピオネート、ジオクチルジデシルアンモニウムクロリド（臭素などの無機又は有機対イオンを有する塩化ベンゼトニウム及び四級アンモニウム化合物などの四級種も含む）、炭酸塩、若しくはジアルキルジメチルアンモニウムカーボネートを含む他の部分に加えて、抗菌アミン、例えば、グルコン酸クロルヘキシジン、ＰＨＭＢ（ポリヘキサメチレンビグアニド）、ビグアニドの塩、置換ビグアニド誘導体、四級アンモニウム含有化合物の有機塩、若しくは四級アンモニウム含有化合物の無機塩、又はこれらの混合物を挙げることができるが、これらに限定されない。
【０１１９】
一態様では、任意に上記表面又は布地を洗浄及び／又はすすぐ工程と、当該表面又は布地を本明細書に開示する任意の組成物と接触させ、次いで、任意に当該表面又は布地を洗浄及び／又はすすぐ工程とを含むこのような方法を、任意による乾燥工程と共に開示する。
【０１２０】
このような表面又は布地の乾燥工程は、家庭環境又は工業環境のいずれかで使用される、一般的な手段のうちの任意の１つにより実行することができる。布地は、通常の消費者による又は業務用の使用条件で洗濯することができる任意の布地を含んでもよく、本発明は、セルロース基材に好適であり、いくつかの態様では、ポリエステル及びナイロンなどの合成織物、並びに合成及びセルロース系の布地及び／又は繊維を含む混紡の布地及び／又は繊維の処理にも好適である。合成布地の例は、ポリエステル、ナイロンであり、これらは、セルロース系繊維、例えば、ポリコットン布地との混紡布中に存在し得る。溶液のｐＨは、典型的には、７〜１１、より一般的には、８〜１０．５である。本組成物は、典型的には、溶液中５００ｐｐｍ〜５，０００ｐｐｍの濃度で使用される。水温は、典型的には約５℃〜約９０℃の範囲である。水の布地に対する比は、典型的には、約１：１〜約３０：１である。
【実施例１】
【０１２１】
着色剤又は光学増白剤を含有しない約４９９．１２５グラムのＡＡＴＣＣ  ＨＤＬ（１９９３年、Ｐｒｏｃｔｅｒ  ＆  Ｇａｍｂｌｅ（Ｃｉｎｃｉｎｎａｔｉ、ＯＨ）により販売）中に、０．３７５ｇのロイコ着色剤溶液（ＰＥＧ２００中３３重量％ロイコ着色剤Ａ）及び０．５ｇの抗酸化剤３，５−ジ−ｔｅｒｔ−ブチル−４−ヒドロキシベンゼンプロパン酸を添加した。このようにして得られた５００グラムの洗剤を６つの試料に分けた。６つの試料のうちの１つを、そのまま、すなわちあらゆる追加的な着色なしで試験した。残り５つの試料を、対応する市販のＬｉｑｕｉｔｉｎｔ（商標）着色剤（Ｍｉｌｌｉｋｅｎ  ａｎｄ  Ｃｏｍｐａｎｙ、Ｓｐａｒｔａｎｂｕｒｇ、ＳＣ）で着色して、赤色、黄色、緑色、ティールブルー、及び青色の洗剤を得た。
【０１２２】
【化４】
2020534419.tif 000005
【０１２３】
比較例として、６つの更なる試料を上記と同じ様式で調製したが、ロイコ着色剤Ａ又は抗酸化剤を含めなかった。１２ＨＤＬ洗剤のそれぞれの色を、０．５’’ガラスポート、Ｄ６５光源、１０°オブザーバを使用し、ＵＶ光を除いて、標準黒色試料カップ（試料バイアル上に配置されることで周囲光が検出器に到達するのを防ぐ）を備えたＨｕｎｔｅｒ  ＬａｂＳｃａｎ  ＸＥ反射分光光度計で読み取った。配合、外観、及び色の読み取り値（Ｌ＊、ａ＊、ｂ＊）並びに全ての１２ＨＤＬ洗剤の色相角を表１に列挙する。
【０１２４】
【表１】
2020534419.tif 000006
ａ抗酸化剤は３，５−ジ−ｔｅｒｔ−ブチル−４−ヒドロキシベンゼンプロパン酸である。
【０１２５】
ロイコ着色剤の組み込みが液体洗剤の所望の仕上げた製品色を形成する能力を妨げないので、多くの色の液体洗剤がロイコ着色剤を含有して調製され得ることが、色相角（表２を参照）と比較して明らかである。
【０１２６】
【表２】
2020534419.tif 000007
【０１２７】
その後、全ての１２ＨＤＬ試料を２４週間暗所にて周囲温度で保存し、上記のように色測定を繰り返した。結果を以下の表３に示す。
【０１２８】
【表３】
2020534419.tif 000008
【０１２９】
各ＨＤＬ洗剤の色の変化は、以下のように表すことができる：
ΔＥ＊＝（（Ｌ＊ｉ−Ｌ＊ｆ）２＋（ａ＊ｉ−ａ＊ｆ）２＋（ｂ＊ｉ−ｂ＊ｆ）２］１／２
式中、下付き文字ｉ及びｆは、それぞれ、初期（０日目）及び最終（１６８日目）の値を指す。算出されたΔＥ＊値を以下の表４に示す。
【０１３０】
【表４】
2020534419.tif 000009
【０１３１】
劣化インジケータロイコ着色剤を含まないＨＤＬ（比較例１〜６）は、全体的な外観の変化をほとんど示さない。劣化インジケータロイコ着色剤を含むＨＤＬ洗剤（実施例１〜６）は全て、色の有意な変化を示す。これは、実施例１〜５において、大きいΔＥ＊値として確認される。実施例６はまた、目視検査における色の顕著な変化を示す；ΔＥ＊によって測定される変化は、試料の色が非常に濃く、（Ｌ＊ｉ＜２）で開始する際に非常に暗い色であるため、小さい。
【実施例２】
【０１３２】
上記実施例１に概説した全般的な手順に従って、以下の洗剤のより大きな体積の試料を調製した：実施例３、実施例６、比較例３、及び比較例６。それぞれが、実施例１並びに実施例３及び実施例６で用いた抗酸化剤を１０００ｐｐｍ含有し、更に２５０ｐｐｍのロイコ着色剤Ａを含有した。試料を２つのバッチに分割し、０．０１重量％のＴｉＯ２乳白剤を１セットに添加した。他のセットは乳白剤を有しなかった。これら８つの洗剤試料のＬ＊、ａ＊、及びｂ＊を、本明細書に開示される方法Ｉに従って測定し、その後、暗所にて５０℃で保存した。１、２、３、４、及び８週間の保存時間後に、更なる色測定値を得た。結果を以下の表５に列挙し、元の試料色と保存後の測定時の試料色との間のΔＥ＊として表す。
【０１３３】
【表５】
2020534419.tif 000010
【０１３４】
データから明らかなように、劣化を示すロイコ着色剤Ａ含有する洗剤配合物は、劣化するにつれて色の有意かつ規則的な変化を受ける。対照洗剤は、保管の際に経時的なベース洗剤成分の色の自然な変化が存在し得ることから予想され得るように、色のいくらかの変化を受けるが、劣化を示すロイコ着色剤Ａを含む洗剤の色の変化の大きさは、ロイコ着色剤を含まないものよりもはるかに大きい。例えば、実施例３対比較例３、又は実施例６対比較例６を、ＴｉＯ２乳白剤を有するもの又は有しないもののいずれかと比較する。
【０１３５】
試験法
本明細書の試験方法で使用される布地見本は、Ｔｅｓｔｆａｂｒｉｃｓ，Ｉｎｃ．（Ｗｅｓｔ  Ｐｉｔｔｓｔｏｎ，ＰＡ）から入手され、１００％木綿のＳｔｙｌｅ  ４０３（２”×２”に切断）及び／又はＳｔｙｌｅ  ４６４（４”×６”に切断）、並びに増白されていない多繊維布地、具体的にはＳｔｙｌｅ  ４１（５ｃｍ×１０ｃｍ）である。
【０１３６】
乾燥布地見本におけるＬ＊、ａ＊、ｂ＊、Ｋ／Ｓ、及び白色度指数（ＷＩ  ＣＩＥ）の値を含む全ての反射スペクトル及び色測定値は、４つの分光光度計のうちの１つを用いて得られる：（１）Ｋｏｎｉｃａ  Ｍｉｎｏｌｔａ  ３６１０ｄ反射分光光度計（Ｋｏｎｉｃａ  Ｍｉｎｏｌｔａ  Ｓｅｎｓｉｎｇ  Ａｍｅｒｉｃａｓ，Ｉｎｃ．，Ｒａｍｓｅｙ，ＮＪ，ＵＳＡ；Ｄ６５光源、１０°オブザーバ、ＵＶ光除外）、（２）ＬａｂＳｃａｎ  ＸＥ反射分光光度計（ＨｕｎｔｅｒＬａｂｓ，Ｒｅｓｔｏｎ，ＶＡ；Ｄ６５光源、１０°オブザーバ、ＵＶ光除外）、（３）Ｃｏｌｏｒ  Ｅｙｅ（登録商標）７０００Ａ（ＧｒｅｔａｇＭａｃｂｅｔｈ，Ｎｅｗ  Ｗｉｎｄｓｏｒ，ＮＹ，ＵＳＡ；Ｄ６５光、ＵＶ除外）、又は（４）Ｃｏｌｏｒ  ｉ７分光光度計（Ｘ−ｒｉｔｅ，Ｉｎｃ．，Ｇｒａｎｄ  Ｒａｐｉｄｓ，ＭＩ，ＵＳＡ；Ｄ６５光、ＵＶ除外）。
【０１３７】
特に指示がない限り、布地が照射を受ける場合、指定された乾燥後の布地は、最大キャビネット温度が３７℃、ブラックパネル（ＢＰＴブラックパネル形状）温度が５７℃、及び３５％ＲＨ（相対湿度）に設定されたＴｙｐｅ  Ｓ  Ｂｏｒｏｓｉｌｉｃａｔｅホウケイ酸塩内部（部品番号２０２７７３００）及び外部（部品番号２０２７９６００）フィルタを備えたＡｔｌａｓ  Ｘｅｎｏｎ  Ｆａｄｅ−Ｏｍｅｔｅｒ  Ｃｉ３０００＋（Ａｔｌａｓ  Ｍａｔｅｒｉａｌ  Ｔｅｓｔｉｎｇ  Ｔｅｃｈｎｏｌｏｇｙ（Ｍｏｕｎｔ  Ｐｒｏｓｐｅｃｔ、Ｉｌｌｉｎｏｉｓ、ＵＳＡ））内で、４２０ｎｍで放射照度０．７７Ｗ／ｍ２の模擬太陽光に曝露される。別途記載のない限り、照射は、規定の持続時間にわたって連続的である。
【０１３８】
Ｉ．洗濯ケア配合物のＬ＊、ａ＊、ｂ＊、彩度（Ｃ＊）、及び色相（ｈ＊）の決定方法
洗濯ケア配合物の審美的外観は、試料カップ、リング及びディスクセット、試料カップポートインサート、並びに不透明カバーを含む半透明試料セット（部品番号ＬＳＸＥ−ＳＣ−ＡＳＳＹ）を利用した、ＬａｂＳｃａｎ  ＸＥ反射分光光度計（ＨｕｎｔｅｒＬａｂｓ、Ｒｅｓｔｏｎ、ＶＡ；Ｄ６５光源、１０°オブザーバ、ＵＶ光除外）で測定される。工程毎の取り扱い説明は、Ｈｕｎｔｅｒ  Ｌａｂｓ  Ａｐｐｌｉｃａｔｉｏｎｓ  Ｎｏｔｅ，Ｖｏｌ．１１，Ｎｏ．３，２００８にて見出される。
【０１３９】
リング及びディスクセットの目的は、半透明の液体試料に関連した液体特性及び余分な光相互作用（拡散及び透過）を制御することであり、したがって、これらの試料をより不透明な試料のようにして、センサを測定するように設計した。
【０１４０】
リング及びディスクセットが液体を測定するために使用される場合、黒色プラスチックリングは、試料カップ内に最初に配置されることで、測定干渉を生じ得る外側光を除き、液体試料を通る光の内部経路長を１０ｍｍに固定する。液体の高さが黒色リングの上部よりも高くなるまで液体をカップ内に注ぐ。
【０１４１】
白色セラミックディスクは、リングの上部に位置するまで、液体中に下げられる。ディスクは、液体を通って移動した光を検出器まで戻すために、白色の背景を有する。次いで、黒色試料カップカバーを試料カップ上に配置して、器具の外側からのいかなる周囲光も検出器内に漏出するのを防ぐ。液体試料は、リング及びディスクセットの一部として、優れた光学品質の石英試料カップの底部を通して測定され、付随するポートインサートと共に使用される。リング及びディスクセットを使用するための工程毎の取り扱い説明は、以下に提供される。
【０１４２】
１．試料ポートが上向きになるように器具を向ける。通常のポートインサートを試料カップ用の特別なポートインサートと交換する。
２．特別なポートインサートを用いて器具を定位置に標準化する。
３．１０ｍｍの黒色リングをカップ内に挿入することにより、カップの底部に平らに固定する。
４．液体がリングの高さを超えるまで液体試料でカップを満たす。
５．白色セラミックディスクを、黒色フロートリングの上にしっかりと載るまで、液体試料を通って下方に浮遊させる。目標は、試料カップのガラス底部を通じて滑らかかつ不透明に見えるようにする。
６．試料カップを器具ポートに配置し、これを不透明カバーで覆う。
７．試料を測定し、色値を記録する。
８．試料を試料カップから注ぎ、これを再充填し、再度測定する。読み取る間の液体の交換による３つの読み取り値の平均が必要である。
【０１４３】
ＩＩ．ロイコ着色剤及びその酸化型の表面張力値の測定方法。
試験される材料は、本発明に係るロイコ着色剤、又はロイコ着色剤の第２の有色状態を表す染料（例えば、トリアリールメタン染料）のいずれかである。試験される材料の合計２５０〜２５５ｍｇを、４ｏｚ．ガラス瓶に秤量し、５０．０ｍＬの脱イオン水（Ｂａｒｎｓｔｅａｄ  Ｂ−Ｐｕｒｅ  Ｓｙｓｔｅｍ、約１７．２７オーム）を磁気撹拌棒と共に添加する。瓶に蓋をし、磁気撹拌プレート上に置き、混合物を２２．０℃で１時間撹拌する。その後、撹拌を停止し、混合物を１時間静置したままにする。その時間の終わりに、１０．０ｍＬの溶液を注射器内に取り込み、次いでこれにガラスファイバーＡｃｒｏｄｉｓｃ（登録商標）フィルタを取り付け、アリコートを２０ｍＬシンチレーションバイアルに濾過する。ＶＷＲ  ＬａｂＭａｘ  Ｐｉｐｅｔｔｏｒを使用して、４５．０マイクロリットルの濾過溶液を９６ウェルプレートの８つの別個のウェルの各々に分注する。溶液を約２２．０℃で、Ｋｉｂｒｏｎ  Ｄｅｌｔａ  ８  Ｔｅｎｓｉｏｍｅｔｅｒで試験し、８つの測定された複製の平均値を、ｍＮ／ｍ単位の表面張力値として報告した。
【０１４４】
配合例
以下は、本開示に係る洗浄組成物の例示の実施例であり、限定を意図するものではない。
【０１４５】
実施例１〜７：強力液体洗濯洗剤組成物。
【０１４６】
【表６】
2020534419.tif 000011
洗浄及び／又は処理組成物の総重量に基づく。酵素濃度は、原材料として報告される。
【０１４７】
実施例８〜１８：単位用量組成物。
【０１４８】
これら実施例は、単位用量洗濯洗剤用の様々な配合を提供する。組成物８〜１２は、１つの単位容量区画を含む。組成物を封入するために使用されるフィルムは、ポリビニルアルコール系フィルムである。
【０１４９】
【表７】
2020534419.tif 000012
洗浄及び／又は処理組成物の総重量に基づく。酵素濃度は、原材料として報告される。
【０１５０】
以下の実施例では、単位用量は３つの区画を有するが、同様の組成物を２つ、４つ又は５つの区画で作製することもできる。区画を封入するために使用されるフィルムは、ポリビニルアルコールである。
【０１５１】
【表８】
2020534419.tif 000013
【０１５２】
【表９】
2020534419.tif 000014
洗浄及び／又は処理組成物の総重量に基づいて、酵素濃度は原材料として報告する。
【０１５３】
【表１０−１】
2020534419.tif 000015
【０１５４】
【表１０−２】
2020534419.tif 000016
【０１５５】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１５６】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１５７】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【国際調査報告】
2020534419.tif 000018
2020534419.tif 000019